(57)【要約】【課題】本発明の目的は、着信者側が発呼に対して応答しなくても、発信者又は着信者の通信装置が存在する位置を知ることができる通信装置を提供すること、及びアミューズメント要素が高い通信装置を提供することを目的とする。【解決手段】本発明では、本発明では、着信側通信装置又は発信側通信装置の位置情報、及び双方の相対的位置情報に応じて着信側通信装置の着信音、着信画面、又は発信側通信装置の呼出音、呼出画面、応答メッセージ、を変更することが可能な通信装置又は通信システムを提供する。【選択図】          図１
2007300405.tif 000002
【特許請求の範囲】
【請求項１】
位置情報と着信音データとを関連付けて保持する保持部と、
発信側通信装置位置情報を取得する発信側通信装置位置情報取得部と、
前記取得された発信側通信装置位置情報に応じて前記保持部に保持されている着信音データを選択する選択部と、
前記選択された着信音データを着信音として出力する着信音出力部と、
を有する通信装置。
【請求項２】
位置情報と呼出音データとを関連付けて保持する保持部と、
発信側通信装置位置情報を取得する発信側通信装置位置情報取得部と、
前記取得された発信側通信装置位置情報に応じて前記保持部に保持されている呼出音データを選択する選択部と、
前記選択された呼出音データを発信側通信装置に送信する呼出音データ送信部と、
を有する通信装置。
【請求項３】
位置情報と呼出音データとを関連付けて保持する保持部と、
着信側通信装置位置情報を取得する着信側通信装置位置情報取得部と、
前記取得された着信側通信装置位置情報に応じて前記保持部に保持されている呼出音データを選択する選択部と、
前記選択された呼出音データを発信側通信装置に送信する呼出音データ送信部と、
を有する通信装置。
【請求項４】
位置情報と応答メッセージデータとを関連付けて保持する保持部と、
発信側通信装置位置情報を取得する発信側通信装置位置情報取得部と、
前記取得された発信側通信装置位置情報に応じて前記保持部に保持されている応答メッセージデータを選択する選択部と、
前記選択された応答メッセージデータを発信側通信装置に送信する応答メッセージデータ送信部と、
を有する通信装置。
【請求項５】
位置情報と応答メッセージデータとを関連付けて保持する保持部と、
着信側通信装置位置情報を取得する着信側通信装置位置情報取得部と、
前記取得された着信側通信装置位置情報に応じて前記保持部に保持されている応答メッセージデータを選択する選択部と、
前記選択された応答メッセージデータを発信者通信装置に送信する応答メッセージデータ送信部と、
を有する通信装置。
【請求項６】
位置情報と着信画面データとを関連付けて保持する保持部と、
着信側通信装置位置情報を取得する着信側通信装置位置情報取得部と、
前記取得された着信側通信装置位置情報に応じて前記保持部に保持されている着信画面データを選択する選択部と、
前記選択された着信画面データを着信画面として表示する表示部と、
を有する通信装置。
【請求項７】
位置情報と着信画面データとを関連付けて保持する保持部と、
発信側通信装置位置情報を取得する発信側通信装置位置情報取得部と、
前記取得された発信側通信装置位置情報に応じて前記保持部に保持されている着信画面データを選択する選択部と、
前記選択された着信画面データを着信画面として表示する表示部と、
を有する通信装置。
【請求項８】
位置情報と呼出画面データとを関連付けて保持する保持部と、
発信側通信装置位置情報を取得する発信側通信装置位置情報取得部と、
前記取得された発信側通信装置位置情報に応じて前記保持部に保持されている呼出画面データを選択する選択部と、
前記選択された呼出画面データを発信側通信装置に送信する呼出画面データ送信部と、
を有する通信装置。
【請求項９】
位置情報と呼出画面データを関連付けて保持する保持部と、
着信側通信装置位置情報を取得する着信側通信装置位置情報取得部と、
前記取得された着信側通信装置位置情報に応じて前記保持部に保持されている呼出画面データを選択する選択部と、
前記選択された呼出画面データを発信側通信装置に送信する呼出画面データ送信部と、
を有する通信装置。
【請求項１０】
発信側通信装置と、
着信側通信装置と、
着信音データ保持サーバと、からなる通信システムであって、
着信音データ保持サーバは、
位置情報と着信音データとを関連付けて保持する保持部と、
発信側通信装置位置情報を取得する発信側通信装置位置情報取得部と、
前記取得した発信側通信装置位置情報に応じて着信音データを選択する選択部と、
前記選択された着信音データを着信側通信装置に送信する着信音データ送信部と、
を有し、
前記着信側通信装置は、
発信側通信装置から着信側通信装置へ発呼が行われると、前記着信音データ保持サーバから送信された着信音データを受信する着信音データ受信部と、
前記発呼に基づく着信動作において受信した着信音データを利用した着信音を出力する着信音出力部と、
を有する通信システム。
【請求項１１】
発信側通信装置と、
着信側通信装置と、
着信音データ保持サーバと、からなる通信システムであって、
着信音データ保持サーバは、
位置情報と着信音データとを関連付けて保持する保持部と、
着信側通信装置位置情報を取得する着信側通信装置位置情報取得部と、
前記取得した着信側通信装置位置情報に応じて着信音データを選択する選択部と、
前記選択された着信音データを着信側通信装置に送信する着信音データ送信部と、
を有し、
前記着信側通信装置は、
発信側通信装置から着信側通信装置へ発呼が行われると、前記着信音データ保持サーバから送信された着信音データを受信する着信音データ受信部と、
前記発呼に基づく着信動作において受信した着信音データを利用した着信音を出力する着信音出力部と、
を有する通信システム。
【請求項１２】
発信側通信装置と、
着信側通信装置と、
呼出音データ保持サーバと、からなる通信システムであって、
呼出音データ保持サーバは、
位置情報と呼出音データとを関連付けて保持する保持部と、
発信側通信装置位置情報を取得する発信側通信装置位置情報取得部と、
前記取得した発信側通信装置位置情報に応じて呼出音データを選択する選択部と、
前記選択された呼出音データを発信側通信装置に送信する呼出音データ送信部と、
を有し、
前記発信側通信装置は、
発信側通信装置から着信側通信装置へ発呼が行われると、前記呼出音データ保持サーバから送信された呼出音データを受信する呼出音データ受信部と、
前記発呼に基づく呼出動作において受信した呼出音データを利用した呼出音を出力する呼出音出力部と、
を有する通信システム。
【請求項１３】
発信側通信装置と、
着信側通信装置と、
呼出音データ保持サーバと、からなる通信システムであって、
呼出音データ保持サーバは、
位置情報と呼出音データとを関連付けて保持する保持部と、
着信側通信装置位置情報を取得する着信側通信装置位置情報取得部と、
前記取得した着信側通信装置位置情報に応じて呼出音データを選択する選択部と、
前記選択された呼出音データを発信側通信装置に送信する呼出音データ送信部と、
を有し、
前記発信側通信装置は、
発信側通信装置から着信側通信装置へ発呼が行われると、前記呼出音データ保持サーバから送信された呼出音データを受信する呼出音データ受信部と、
前記発呼に基づく呼出動作において受信した呼出音データを利用した呼出音を出力する呼出音出力部と、
を有する通信システム。
【請求項１４】
発信側通信装置と、
着信側通信装置と、
応答メッセージデータ保持サーバと、からなる通信システムであって、
応答メッセージデータ保持サーバは、
位置情報と応答メッセージデータとを関連付けて保持する保持部と、
発信側通信装置位置情報を取得する発信側通信装置位置情報取得部と、
前記取得した発信側通信装置位置情報に応じて応答メッセージデータを選択する選択部と、
前記選択された応答メッセージデータを発信側通信装置に送信する応答メッセージデータ送信部と、
を有し、
前記発信側通信装置は、
発信側通信装置から着信側通信装置へ発呼が行われると、前記応答メッセージデータ保持サーバから送信された応答メッセージデータを受信する応答メッセージデータ受信部と、
着信側通信装置からの応答が無いと判断された場合には、受信した応答メッセージデータを利用した応答メッセージを出力する応答メッセージ出力部と、
を有する通信システム。
【請求項１５】
発信側通信装置と、
着信側通信装置と、
応答メッセージデータ保持サーバと、からなる通信システムであって、
応答メッセージデータ保持サーバは、
位置情報と応答メッセージデータとを関連付けて保持する保持部と、
着信側通信装置位置情報を取得する着信側通信装置位置情報取得部と、
前記取得した着信側通信装置位置情報に応じて応答メッセージデータを選択する選択部と、
前記選択された応答メッセージデータを発信側通信装置に送信する応答メッセージデータ送信部と、
を有し、
前記発信側通信装置は、
発信側通信装置から着信側通信装置へ発呼が行われると、前記応答メッセージデータ保持サーバから送信された応答メッセージデータを受信する応答メッセージデータ受信部と、
着信側通信装置からの応答が無いと判断された場合には、受信した応答メッセージデータを利用した応答メッセージを出力する応答メッセージ出力部と、
を有する通信システム。
【請求項１６】
発信側通信装置と、
着信側通信装置と、
着信画面データ保持サーバと、からなる通信システムであって、
着信画面データ保持サーバは、
位置情報と着信画面データとを関連付けて保持する保持部と、
発信側通信装置位置情報を取得する発信側通信装置位置情報取得部と、
前記取得した発信側通信装置位置情報に応じて着信画面データを選択する選択部と、
前記選択された着信画面データを着信側通信装置に送信する着信画面データ送信部と、
を有し、
前記着信側通信装置は、
発信側通信装置から着信側通信装置へ発呼が行われると、前記着信画面データ保持サーバから送信された着信画面データを受信する着信画面データ受信部と、
前記発呼に基づく着信動作において受信した着信画面データを利用した着信画面を表示する着信画面表示部と、
を有する通信システム。
【請求項１７】
発信側通信装置と、
着信側通信装置と、
着信画面データ保持サーバと、からなる通信システムであって、
着信画面データ保持サーバは、
位置情報と着信画面データとを関連付けて保持する保持部と、
着信側通信装置位置情報を取得する着信側通信装置位置情報取得部と、
前記取得した着信側通信装置位置情報に応じて着信画面データを選択する選択部と、
前記選択された着信画面データを着信側通信装置に送信する着信画面データ送信部と、
を有し、
前記着信側通信装置は、
発信側通信装置から着信側通信装置へ発呼が行われると、前記着信画面データ保持サーバから送信された着信画面データを受信する着信画面データ受信部と、
前記発呼に基づく着信動作において受信した着信画面データを利用した着信画面を表示する着信画面表示部と、
を有する通信システム。
【請求項１８】
発信側通信装置と、
着信側通信装置と、
呼出画面データ保持サーバと、からなる通信システムであって、
呼出画面データ保持サーバは、
位置情報と呼出画面データとを関連付けて保持する保持部と、
発信側通信装置位置情報を取得する発信側通信装置位置情報取得部と、
前記取得した発信側通信装置位置情報に応じて呼出画面データを選択する選択部と、
前記選択された呼出画面データを発信側通信装置に送信する呼出画面データ送信部と、
を有し、
前記発信側通信装置は、
発信側通信装置から着信側通信装置へ発呼が行われると、前記呼出画面データ保持サーバから送信された呼出画面データを受信する呼出画面データ受信部と、
前記発呼に基づく呼出動作において受信した呼出画面データを利用した呼出画面を表示する呼出画面表示部と、
を有する通信システム。
【請求項１９】
発信側通信装置と、
着信側通信装置と、
呼出画面データ保持サーバと、からなる通信システムであって、
呼出画面データ保持サーバは、
位置情報と呼出画面データとを関連付けて保持する保持部と、
着信側通信装置位置情報を取得する着信側通信装置位置情報取得部と、
前記取得した着信側通信装置位置情報に応じて呼出画面データを選択する選択部と、
前記選択された呼出画面データを発信側通信装置に送信する呼出画面データ送信部と、
を有し、
前記発信側通信装置は、
発信側通信装置から着信側通信装置へ発呼が行われると、前記呼出画面データ保持サーバから送信された呼出画面データを受信する呼出画面データ受信部と、
前記発呼に基づく呼出動作において受信した呼出画面データを利用した呼出画面を表示する呼出画面表示部と、
を有する通信システム。
【請求項２０】
発信側通信装置と着信側通信装置の相対的な位置関係を示す情報である相対的位置情報と着信音データとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている着信音データを選択する選択部と、
前記選択された着信音データを着信音として出力する着信音出力部と、
を有する通信装置。
【請求項２１】
発信側通信装置と着信側通信装置の相対的な位置関係を示す情報である相対的位置情報と呼出音データとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている呼出音データを選択する選択部と、
前記選択された呼出音データを発信側通信装置に送信する呼出音データ送信部と、
を有する通信装置。
【請求項２２】
発信側通信装置と着信側通信装置の相対的な位置関係を示す情報である相対的位置情報と応答メッセージデータとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている応答メッセージデータを選択する選択部と、
前記選択された応答メッセージデータを発信者通信装置に送信する応答メッセージデータ送信部と、
を有する通信装置。
【請求項２３】
発信側通信装置と着信側通信装置の相対的な位置関係を示す情報である相対的位置情報と着信画面データを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている着信画面データを選択する選択部と、
前記選択された着信画面データを着信画面として表示する表示部と、
を有する通信装置。
【請求項２４】
発信側通信装置と着信側通信装置の相対的な位置関係を示す情報である相対的位置情報と呼出画面データを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出された相対的位置情報に応じて前記保持部に保持されている呼出画面データを選択する選択部と、
前記選択された呼出画面データを発信側通信装置に送信する呼出画面データ送信部と、
を有する通信装置。
【請求項２５】
発信側通信装置と、
着信側通信装置と、
着信音データ保持サーバと、からなる通信システムであって、
着信音データ保持サーバは、
発信側通信装置と着信側通信装置の相対的な位置関係を示す情報である相対的位置情報と着信音データとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている着信音データを選択する選択部と、
前記選択された着信音データを着信側通信装置に送信する着信音データ送信部と、
を有し、
前記着信側通信装置は、
発信側通信装置から着信側通信装置へ発呼が行われると、前記着信音データ保持サーバから送信された着信音データを受信する着信音データ受信部と、
前記発呼に基づく着信動作において受信した着信音データを利用した着信音を出力する着信音出力部と、
を有する通信システム。
【請求項２６】
発信側通信装置と、
着信側通信装置と、
呼出音データ保持サーバと、からなる通信システムであって、
呼出音データ保持サーバは、
発信側通信装置と着信側通信装置の相対的な位置関係を示す情報である相対的位置情報と呼出音データとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている呼出音データを選択する選択部と、
前記選択された呼出音データを発信側通信装置に送信する呼出音データ送信部と、
を有し、
前記発信側通信装置は、
発信側通信装置から着信側通信装置へ発呼が行われると、前記呼出音データ保持サーバから送信された呼出音データを受信する呼出音データ受信部と、
前記発呼に基づく呼出動作において受信した呼出音データを利用した呼出音を出力する呼出音出力部と、
を有する通信システム。
【請求項２７】
発信側通信装置と、
着信側通信装置と、
応答メッセージデータ保持サーバと、からなる通信システムであって、
応答メッセージデータ保持サーバは、
発信側通信装置と着信側通信装置の相対的な位置関係を示す情報である相対的位置情報と応答メッセージデータとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている応答メッセージデータを選択する選択部と、
前記選択された応答メッセージデータを発信側通信装置に送信する応答メッセージデータ送信部と、
を有し、
前記発信側通信装置は、
発信側通信装置から着信側通信装置へ発呼が行われると、前記応答メッセージデータ保持サーバから送信された応答メッセージデータを受信する応答メッセージデータ受信部と、
着信側通信装置からの応答が無いと判断された場合には、受信した応答メッセージデータを利用した応答メッセージを出力する応答メッセージ出力部と、
を有する通信システム。
【請求項２８】
発信側通信装置と、
着信側通信装置と、
着信画面データ保持サーバと、からなる通信システムであって、
着信画面データ保持サーバは、
発信側通信装置と着信側通信装置の相対的な位置関係を示す情報である相対的位置情報と着信画面データとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている着信画面データを選択する選択部と、
前記選択された着信画面データを着信側通信装置に送信する着信画面データ送信部と、
を有し、
前記着信側通信装置は、
発信側通信装置から着信側通信装置へ発呼が行われると、前記着信画面データ保持サーバから送信された着信画面データを受信する着信画面データ受信部と、
前記発呼に基づく着信動作において受信した着信画面データを利用した着信画面を表示する着信画面表示部と、
を有する通信システム。
【請求項２９】
発信側通信装置と、
着信側通信装置と、
呼出画面データ保持サーバと、からなる通信システムであって、
呼出画面データ保持サーバは、
発信側通信装置と着信側通信装置の相対的な位置関係を示す情報である相対的位置情報と呼出画面データとを関連付けて保持する保持部と、
発信側通信装置位置情報を取得する発信側通信装置位置情報取得部と、
着信側通信装置位置情報を取得する着信側通信装置位置情報取得部と、
前記発信側通信装置位置情報と前記着信側通信装置位置情報とにより、相対的位置情報を算出する相対的位置情報算出部と、
前記算出した相対的位置情報に応じて前記保持部に保持されている呼出画面データを選択する選択部と、
前記選択された呼出画面データを発信側通信装置に送信する呼出画面データ送信部と、
を有し、
前記発信側通信装置は、
発信側通信装置から着信側通信装置へ発呼が行われると、前記呼出画面データ保持サーバから送信された呼出画面データを受信する呼出画面データ受信部と、
前記発呼に基づく呼出動作において受信した呼出画面データを利用した呼出画面を表示する呼出画面表示部と、
を有する通信システム。
【請求項３０】
前記保持部において位置情報と関連付けられている各種データの全部又は一部は、領域を階層的にカバーする階層構造であり、
前記選択部において、各種データの選択候補が一の領域に対して異なる階層に複数存在する場合には、より階層が深い位置情報に関連付けられたデータを選択する階層選択手段を有することを特徴とする請求項１から９、２０から２４のいずれか一に記載の通信装置。
【請求項３１】
前記保持部において位置情報と関連付けられている各種データの全部又は一部は、領域を階層的にカバーする階層構造であり、
前記選択部において、各種データの選択候補が一の領域に対して異なる階層に複数存在する場合には、より階層が深い位置情報に関連付けられたデータを選択する階層選択手段を有することを特徴とする請求項１０から１９、２５から２９のいずれか一に記載の通信システム。
【請求項３２】
通信装置の発着呼において利用する各種データと、位置情報とを関連付けて保持する第二保持部と、
前記保持されている各種データを通信装置の発着呼処理のために用いるデータとして送信する第二送信部と、
を有するサーバ装置。
【発明の詳細な説明】
【技術分野】
【０００１】
本発明は、様々な位置情報に応じて着信音、呼出音、応答メッセージ、着信画面、呼出画面を変更する通信装置および通信システムの技術に関する。
【背景技術】
【０００２】
近年、通信装置の多様化に伴い、様々な機能が付加されたものが開発されている。例えば、携帯電話の分野では、通話機能やメール通信機能に加えて、多種多様なアミューズメント機能が付加されているし、ＰＤＡ（Ｐｅｒｓｏｎａｌ Ｄｉｇｉｔａｌ Ａｓｓｉｓｔａｎｃｅ）の分野では、従来のパーソナルコンピュータと同等の機能を有するものが出現している。また、需要者においても、携帯電話を初めとする通信装置は、今や生活になくてはならないツールとして定着するとともに、ゲーム機能、音楽再生機能などが付加されたアミューズメント機器の一つとしての認識が定着しつつある。
【０００３】
このようなアミューズメント要素が高い機能の一つとして、携帯電話などにおける着信音が挙げられる。携帯電話では、着信があった場合に自分の好みの着信音を鳴らすように設定することや、特定の電話番号と着信音データとを関連付けて、特定の人物からの着信があった場合に特定の着信音を鳴らすように設定することができるものが一般的に周知されている。このような設定は主として利用者が自ら設定するものであるが、以下に示す特許文献１から３では、様々な条件により、自動的に着信音等を変更する技術が開示されている。
【０００４】
特許文献１に記載の発明では、携帯通信端末において、利用者の位置情報に応じて着信音や表示画面などの動作モードを変更することとしている。このため、利用者の位置に応じて動作モードが自動的に変更されるので、携帯通信端末を持って移動した際にいちいち動作モードを変更する必要がない。
【０００５】
特許文献２に記載の発明では、利用者の位置に応じて携帯端末装置の着信音として出力するＲＡＭに格納された楽曲データを自動的に切り替えることとしている。このため、利用者は、携帯端末装置の着信音にて自分がどこにいるのかを知ることができる。
【特許文献１】特開２００３−２０４３８４号公報
【特許文献２】特開２００３−３３３１２６号公報
【発明の開示】
【発明が解決しようとする課題】
【０００６】
しかしながら、上記特許文献１、２に記載の発明であっても、着信者側又は発信者側の通信装置の位置に応じて発信者側の通信装置における呼出音や呼出画面が変更するものはなく、発信者側の通信装置では着信者又は発信者がどこにいようと同一の呼出音を聞いたり同一の呼出画面を見たりするのみであり、着信者が応答しなければ発信者は着信者がどこにいるのかわからず、加えてアミューズメント要素が低い通信装置であった。
【０００７】
また、着信者側の通信装置においても、通信装置の位置に応じて着信画面等が変更されるものはなく、着信者側通信装置では着信者がどこにいようと同一の着信画面が表示されるのみであり、一目で自分の現在いる位置を確認することができず、加えてアミューズメント要素が低い通信装置であった。
【０００８】
また、従来技術においては、着信側通信装置と発信側通信装置の相対的な位置情報に応じて着信音等が変更されるものはなく、お互いがどのような位置関係にあるのかを知ることができず、加えてアミューズメント要素が低い通信装置であった。
【０００９】
そこで、本発明では、着信者側が発呼に対して応答しなくても、発信者又は着信者の通信装置が存在する位置を知ることができる通信装置を提供することを第一の目的とする。また、アミューズメント要素が高い通信装置を提供することを第二の目的とする。
【課題を解決するための手段】
【００１０】
上記課題を解決するために、本発明では、着信側通信装置又は発信側通信装置の位置情報、及び双方の相対的位置情報に応じて着信側通信装置の着信音、着信画面、又は発信側通信装置の呼出音、呼出画面、応答メッセージ、を変更することが可能な通信装置を提供する。
【００１１】
また、着信音、呼出音、応答メッセージ、着信画面、呼出画面となる着信音データ、呼出音データ、応答メッセージデータ、着信画面データ、呼出画面データを記録しておくサーバ装置を備え、着信側通信装置又は発信側通信装置の位置情報に応じて該サーバ装置からデータを配信する通信システムを提供する。
【発明の効果】
【００１２】
以上のような構成をとる本発明の通信装置では、発信側通信装置の位置情報に応じて着信側である通信装置における着信音を変更することができ、着信者は自らが応答しなくても着信音を聞くことで、発信側通信装置が存在する位置を知ることができる。また、通信装置の位置に応じて着信画面を変更することができるため、着信者が応答するまでの間に、自らの位置に応じた着信画面を見ることができ、アミューズメント要素が高い通信装置を提供することができる。
【００１３】
また、本発明の通信装置では、着信側である通信装置の位置情報に応じて発信側通信装置に送信する呼出音データや呼出画面データ、応答メッセージデータを変更することができ、これらの送信されたデータにより出力される呼出音や応答メッセージを聞いたり、呼出画面を見たりすることで、発信者は着信者が応答しなくても着信側の通信装置が存在する位置を知ることができる。また、発信側通信装置の位置に応じて着信側の通信装置から送信する呼出音データや呼出画面データ、応答メッセージデータを変更することができるため、発信者は着信者が応答するまでの間に、自らの位置に応じた呼出音を聞くことや呼出画面を見ることができ、アミューズメント要素が高い通信装置を提供することができる。
【００１４】
また、本発明の通信システムでは、上記効果に加えて、着信音データ、呼出音データ、着信画面データ、呼出画面データ、応答メッセージデータ等を通信装置ではなく、サーバにて記録、管理するため、これらのデータによって通信装置の記憶領域における記録可能容量が逼迫されるという虞も無い。このため、より多くのデータの中から位置情報に応じたデータを選択することができ、より狭い地域単位で位置情報を設定可能とし、識別できる位置情報の精度を向上させることができる。また、よりアミューズメント要素が高い通信システムを提供することができる。
【００１５】
また、本発明の通信装置又は通信システムでは、着信側と発信側の通信装置の位置情報より、これらの相対的な位置情報を取得し、両者の相対的な位置情報に応じて出力する着信音データや送信する呼出音データなどを変更することができる。このため、着信音や呼出音などを聞いただけで、相手が近くにいるのかあるいは遠くにいるのかを知ることができるとともに、更なるアミューズメント効果も期待できる。
【００１６】
以上のとおり、本発明の通信装置では、着信者側が発呼に対して応答しなくても、発信者又は着信者の通信装置が存在する位置を知ることができる通信装置を提供することができる。そして、アミューズメント要素が高い通信装置を提供することができる。
【発明を実施するための最良の形態】
【００１７】
本発明を実施するための最良の形態について、図面を用いて詳細に説明する。なお、本発明はこれら実施の形態になんら限定されるものではなく、その要旨を逸脱しない範囲において種々なる態様で実施しうる。実施形態と請求項の関係は次のとおりである。実施形態１は主として請求項１などについて説明する。実施形態２は主として請求項２、３などについて説明する。実施形態３は主として請求項４、５などについて説明する。実施形態４は主として請求項６、７などについて説明する。実施形態５は主として請求項８、９などについて説明する。実施形態６は主として請求項１０〜１９などについて説明する。実施形態７は主として請求項２０〜２４などについて説明する。実施形態８は主として請求項２５〜２９などについて説明する。実施形態９は主として請求項３０、３１などについて説明する。実施形態１０は主として請求項３２などについて説明する。
【００１８】
取得する位置情報及び取得した位置情報に応じて変更する各種データと、各実施形態の関係を表１に示す。
【表１】
2007300405.tif 000003
表１では、例えば、実施形態３は、発信側通信装置位置情報又は着信側通信装置位置情報に応じて応答メッセージを変更する通信装置に関する実施形態であるということを示している。なお、実施形態９は、保持部における各種データが階層的に保持されている通信装置及び通信システムに関する実施形態、実施形態１０は、保持部に保持される各種データを配信するためのサーバ装置に関する実施形態である。
【００１９】
≪実施形態１≫（実施形態１の概念）実施形態１について図１を用いて説明する。図１は、本実施形態にかかる通信装置として携帯電話を利用した場合を例示している。本実施形態は、着信側の通信装置（以下、「着信側通信装置」、又は単に「着信側」という）に関する技術である。発信側の通信装置（以下、「発信側通信装置」、又は単に「発信側」という）（０１０２）から着信側通信装置（０１０１）に発呼が行われると、着信側では位置情報と着信音データとの関連付け（０１０４）を参照して、発信側の位置に応じた着信音を出力する。例えば、発信側通信装置（０１０２）がエリア１から呼出を行う場合には、着信側通信装置（０１０１）では音楽１を着信音として出力し、発信側通信装置（０１０３）がエリア２から呼出を行う場合には、着信側通信装置（０１０１）では、音楽２を着信音として出力する。
【００２０】
（実施形態１の構成）図２に本実施形態にかかる通信装置の機能ブロック図の一例を示す。本実施形態にかかる「通信装置」（０２００）は、「保持部」（０２０１）と、「発信側通信装置位置情報取得部」（０２０２）と、「選択部」（０２０３）と、「着信音出力部」（０２０４）とからなる。また、通信装置を構成する各部のハードウェア構成は、図３に示すように、ＣＰＵ（０３０１）、ＲＯＭ（０３０２）、ＲＡＭ（０３０３）、スピーカ（０３０４）、アンテナ及び通信部（０３０５）などからなる。図３に示すのは一例であり、同様の機能を有する装置によって種々置き換えることが可能である。
【００２１】
（実施形態１の構成の説明）「通信装置」（０２００）とは、通信機能を有する電子機器である。より具体的には、主に、携帯電話、固定電話、ＰＨＳ、ポケットベルなどが該当し、電子メール機能やメッセンジャー機能等を有するＰＤＡ、ノートパソコン、デスクトップパソコン、カーナビゲーションシステム、デジタルテレビ、情報家電なども該当し得る。メッセンジャー機能とは、インターネットや社内ＬＡＮにて繋がれたネットワーク上でリアルタイムにメッセージを送受信する機能をいう。
【００２２】
「保持部」（０２０１）は、位置情報と着信音データとを関連付けて保持するように構成されている。保持部は、図３に示すＲＯＭ（０３０２）などから構成される。
【００２３】
「位置情報」とは、地名、施設名、緯度経度、郵便番号などであり、特定の位置を識別可能な情報である。例えば、地名としては「東京都千代田区」、施設名としては「成田空港」、緯度経度としては「Ｎ３５°４０’０４．０７３"  Ｅ１３９°４４’５６．０３３"」、郵便番号としては「１００−００１３」などである。地名は、正式な行政区域名の名称に限らず、俗称、通称、旧地名、広域的な地域名、海外の国や地域名、山や河川・湖などの名称などが含まれる。また、通信装置が携帯電話である場合には、通信を行うために経由した基地局の識別番号などであっても良い。なお、これらの位置情報は、文字データに限らず、位置情報に対応した数値データや記号データ等であっても良い。また、これらの位置情報がカバーするエリアの広狭は問わない。すなわち、一の位置を示す位置情報が複数あっても良い。例えば、「東京都千代田区霞ヶ関３丁目４番３号」を示す位置情報として、「東京都千代田区霞が関３丁目」、「東京都千代田区霞ヶ関」、「東京都千代田区」、「東京都」、「関東地方」、「東日本」などと複数の位置情報が存在していても良い。
【００２４】
「着信音データ」とは、通信装置にて着信時に通信装置が通信を受けたことを知らせるために出力するデータをいう。例えば、携帯電話、固定電話、ＰＨＳなどでは、発信側通信装置にて通話をするための呼出を行うと、リアルタイムで着信側通信装置にて着信動作が行われる。このため、携帯電話、固定電話、ＰＨＳでは、「着信時」とは、この着信動作が行われている間が該当する。また、メッセンジャー機能を有する携帯電話、ＰＨＳ、ＰＤＡ、ノートパソコン、デスクトップパソコン、カーナビゲーションシステム、デジタルテレビ、情報家電などでは、「着信時」とは、メッセージを受信したときをいう。また、電子メール機能を有する携帯電話、固定電話、ＰＨＳ、ＰＤＡ、ノートパソコン、デスクトップパソコン、カーナビゲーションシステム、デジタルテレビ、情報家電などでは、発信側通信装置にて電子メールが送信された後に、その電子メールが着信側通信装置にて受信されるまでにタイムラグが生じる場合がある。したがって、これら機器における「着信時」とは、着信側通信装置にて電子メールを受信したときをいう。なお、メッセンジャー機能におけるメッセージの受信や、電子メール機能における電子メールの受信は、通常は僅かな時間内に行われるが、これらの受信を知らせる着信音を流す時間が着信側通信装置にて設定されている場合には、受信したときから設定された時間が経過するまでを「着信時」という。
【００２５】
通信を受けたことを知らせるために出力するデータとは、音楽データや音声データなど、出力することで着信したことが聴覚で認識可能なデータや、バイブレーション機能を有する携帯電話などでは、バイブレーション機能における振動パターンなどが該当する。
【００２６】
保持部では、例えば図４に示すように、位置情報と着信音データとをテーブルにて関連付けて、この関連付けられた情報を図３に示すＲＯＭなどの記録領域に格納することにより保持する。図４では、「東京都千代田区」との位置情報と「音楽データ１」という着信音データとが関連付けられていることを示す。また、同様に、「東京都港区」との位置情報には、「音声データ４」との着信音データが関連付けらており、「神奈川県横浜市」との位置情報には、「音楽データ２」との着信音データが関連付けられている。着信音データが音楽データの場合には、着信音データの名称はその音楽のタイトルなどで識別することとしても良い。また、図４に示すように、ユーザが日常的に移動する範囲については狭い範囲毎の位置情報と着信音データを関連付け（０４０１）、ユーザが日常的には移動しない範囲についてはあまり狭い範囲毎に設定していても、利用する機会が少ないため、広い範囲毎の位置情報と着信音データを関連付けておく（０４０２）こととしてもよい。なお、全ての位置情報と対応するように位置情報と着信音データとの関連付けを行う必要はなく、位置情報を「その他の地域」などとして、個別に特定されている位置情報以外の位置情報を一括して一の着信音データと関連付けることとしてもよい。図４では、「その他の地域」は、「音楽データ３」が関連付けられていることを示している（０４０３）。
【００２７】
保持部での位置情報と着信音データとの関連付けは、記憶領域に格納された着信音データ毎にユーザが位置情報をキー操作にて入力することで関連付けを行っても良いし、予め位置情報と関連付けられた着信音データをダウンロードして保持部に保持することとしてもよい。また、位置情報と関連付けられていない着信音データをダウンロードする際に、通信装置が存在する位置の位置情報を関連付けて保持部に保持することとしても良い。
【００２８】
なお、保持部では、保持部で保持している着信音データを、追加、変更、削除できるような管理手段を備えていても良い。
【００２９】
「発信側通信装置位置情報取得部」（０２０２）とは、発信側通信装置位置情報を取得するように構成されている。発信側通信装置位置情報取得部は、図３に示すＣＰＵ（０３０１）、ＲＯＭ（０３０２）、ＲＡＭ（０３０３）、アンテナ及び通信部（０３０５）などから構成される。発信側通信装置位置情報取得部では、発信側通信装置から着信を受けると、アンテナ及び通信部（０３０５）を介して着信信号を受信する。着信信号には、所定のビット位置に所定のビット幅にて位置情報が格納されており、ＣＰＵ（０３０１）にてＲＯＭ（０３０２）に格納された発信側通信装置位置情報取得プログラムを起動し、ＲＡＭ（０３０３）を作業領域として位置情報が格納された着信信号の所定のビット列からの読み出しを行う。
【００３０】
「発信側通信装置位置情報」とは、発信側通信装置の位置情報である。本実施形態における通信装置では、発信側通信装置からの着信信号を受けると、発信側通信装置位置情報取得部にて、発信側通信装置が存在している位置情報を取得する。着信信号とは、例えば、通話機能を有する通信装置であれば、通話を開始するための通話接続要求であり、電子メール機能やメッセンジャー機能を有する通信装置であれば、メッセージや電子メールの受信を知らせる信号である。
【００３１】
発信側通信装置の位置情報の取得方法を図５３から図５６を用いて説明する。まず、図５３に示すように、発信側通信装置（５３０１）がＧＰＳなどの位置情報取得機能を有して自らの位置情報Ａを取得可能な場合には、位置情報を示すＡとの情報を含む発呼信号を発信側通信装置が基地局（５３０２）へ送信する。この位置情報を含む発呼信号が基地局から交換器（５３０３）、交換器から着信側通信装置側の基地局（５３０４）、着信側通信装置側の基地局から着信側通信装置（５３０５）へと送信され、発信側通信装置位置情報取得部では、発信側通信装置位置情報を取得することができる。
【００３２】
次に、図５４に示すように、発信側通信装置（５４０１）が位置情報を取得することができない場合には、発信側通信装置から位置情報を含まない発呼信号が基地局（５４０２）へ送信される。基地局（５４０２）では、位置情報を含まない発呼信号に基地局の位置情報Ｂを付加し、これを交換器（５４０３）、着信側通信装置側の基地局（５４０４）を介して着信側通信装置（５４０５）へ送信する。着信側通信装置では、発信側通信装置の近辺の基地局の位置情報から、発信側通信装置の位置情報を取得することができる。
【００３３】
次に、図５５に示すように、発信側通信装置（５５０１）が固定電話の場合には、発信側通信装置にて固定電話の電話番号を示す情報Ｃを基地局（５５０２、５５０４）、交換器（５５０３）を介して着信側通信装置（５５０５）へ送信すると、着信側通信装置（５５０５）では、固定電話の市外局番から発信側通信装置の位置情報を取得することができる。
【００３４】
次に、図５６に示すように、着信側通信装置（５６０５）のアドレス帳に電話番号と関連付けられた住所が記憶されている場合には、発信側通信装置（５６０１）にて電話番号を示す情報Ｅを基地局（５６０２、５６０４）、交換器（５６０３）を介して着信側通信装置（５６０５）へ送信すると、着信側通信装置では、アドレス帳を参照して発信側通信装置の位置情報Ｄを取得することができる。この場合には、発信側通信装置が移動端末である場合には、位置情報の信頼性の精度が落ちる。
【００３５】
なお、ここでは、主に電話機能を有する通信装置に関して記載したが、電話機能の代わりに電子メール機能を有する通信装置であっても、介したサーバの位置情報やアドレス帳等から発信側通信装置の位置情報を取得することができる。
【００３６】
また、取得する位置情報に付随して、位置情報にて識別される地域の天気情報や、海外の位置情報から時差に関する情報などを同時に取得しても良い。天気情報は、ウェブなどを介してネットワーク上から取得することができるし、時差情報は発信側通信装置位置情報と自己の位置情報を取得することにより取得することができる。なお、この場合の自己の位置情報は、自分がどの時間帯に属しているかに関する大雑把なもので良い。例えば、日本にて限定的に使用される通信装置であれば、通信装置の属している時間帯が日本であることが記憶されていれば足りる。
【００３７】
「選択部」（０２０３）は、取得された発信側通信装置位置情報に応じて前記保持部に保持されている着信音データを選択するように構成されている。図３に示すように、選択部は、具体的にはＣＰＵ（０３０１）、ＲＯＭ（０３０２）、ＲＡＭ（０３０３）などから構成される。発信側通信装置位置情報取得部にて発信側通信装置位置情報を取得すると、ＣＰＵ（０３０１）にてＲＯＭ（０３０２）に格納された選択プログラムを起動し、ＲＡＭ（０３０３）を作業領域としてＲＯＭ（０３０２）に保持されている着信音データの中から取得した位置情報に関連付けられた着信音データを選択することができる。
【００３８】
例えば、前記発信側通信装置位置情報取得部にて、「神奈川県横浜市」との位置情報を取得した場合には、選択部では図４に示す保持部（０２０１）にて保持されているテーブルを参照して、着信音データの中から「音楽データ２」を選択する。また、取得した位置情報がいずれの着信音データとも関連付けられていない場合には、「その他の地域」に関連付けられた「音楽データ３」を選択する。なお、上述の通り、発信側通信装置位置情報とともに天気情報や時差情報を取得した場合には、これらに応じたデータを選択することとしても良い（以下、他の実施形態における「選択部」においても共通する）。例えば、発信側通信装置位置情報とともに「晴れ」との天気情報を示す信号を取得した場合には、晴れとの信号と関連付けられた晴れに関する音楽データを選択し、「雨」との天気情報を示す信号を取得した場合には、雨との信号と関連付けられた音楽データを選択することとしてもよい。また、時差情報として、米国との時差に関する情報を取得した場合には、発信側通信装置の現地時間に応じたデータ（例えば、発信側通信装置が存在する位置が朝の場合には朝に関連付けられたデータ）を選択することとしても良い。
【００３９】
「着信音出力部」（０２０４）は、前記選択された着信音データを着信音として出力するように構成されている。着信音出力部は、図３に示すスピーカ（０３０４）などから構成される。選択部にて着信音データが選択されると、その選択された着信音データが一時的にＲＡＭ（０３０３）に格納され、該着信音データを利用した着信音がスピーカ（０３０４）にて出力される。出力される着信音は、発信側通信装置の位置情報に応じた音楽等であるため、着信側である通信装置では、着信に応答しなくても、着信音出力部から流れてくる着信音を聴くことにより、発信側通信装置が存在する位置を知ることができる。
【００４０】
（実施形態１の具体例）図５に本実施形態の通信装置として携帯電話を用いた場合の具体的な構成を示す。また、図６に本実施形態の通信装置の処理の流れを示す。図５に示す携帯電話では、主制御器（０５０１）を中心として、無線通信器（０５０２）、操作器（０５０３）、ディスプレイ（０５０４）、メモリ（０５０５）、報知用スピーカ（０５０６）、通話用スピーカ（０５０７）、マイク（０５０８）、ＧＰＳ（０５０９）などから構成されている。なお、図５に示す携帯電話は、本実施形態にかかる通信装置には必ずしも必要の無い構成も含まれている。図５に示す携帯電話の構成は、実施形態２以降においても共通のものとする。本実施形態にかかる通信装置（０２００）の保持部（０２０１）は、メモリ（０５０５）が相当し、発信側通信装置位置情報取得部（０２０２）は、主制御器（０５０１）、無線通信器（０５０２）、メモリ（０５０５）などが相当し、選択部（０２０３）は、主制御器（０５０１）、メモリ（０５０５）などが相当し、着信音出力部（０２０４）は、報知用スピーカ（０５０６）などが相当する。
【００４１】
次に本実施形態の通信装置の処理の流れを示す。図６に示すように、まず、発信側通信装置から着信側通信装置への発呼に基づいて、着信側通信装置にて着信が行われると（Ｓ０６０１）、着信側通信装置では、着信信号に発信側通信装置位置情報が含まれているか否かを判断する（Ｓ０６０２）。着信信号に該位置情報が含まれている場合には、該着信信号から発信側通信装置位置情報取得部にて発信側通信装置位置情報を取得する（Ｓ０６０３）。また、着信信号に位置情報が含まれていない場合であっても、その着信信号の発信側通信装置が固定電話である場合には、電話番号の市外局番から発信側通信装置の位置情報を取得することができる（Ｓ０６０５）。発信側通信装置の位置情報を取得すると、選択部にて取得した位置情報に対応する着信音データを選択する（Ｓ０６０７）。しかし、取得した位置情報に対応する着信音データが存在しない場合（Ｓ０６０６，ＮＯ）、又は、発信側通信装置位置情報取得部にて位置情報を取得できなかった場合（Ｓ０６０４，ＮＯ）には、標準設定の着信音データを選択する（Ｓ０６０８、Ｓ０６０９）。標準設定の着信音データとは、図４に示したような「その他の地域」との位置情報と関連付けられた着信音データなどである。そして、選択した着信音データを着信音として出力する（Ｓ０６１０）。
【００４２】
（実施形態１の効果）以上のような構成をとる本発明の通信装置では、発信側通信装置の位置情報に応じて着信者側である通信装置における着信音を変更することができ、着信者は自己が応答しなくても発信側通信装置が存在する位置を知ることができる。また、発信側通信装置が存在する位置に応じて着信音が変更されるため、アミューズメント要素の高い通信装置を提供することができる。
【００４３】
《実施形態２》（実施形態２の概念）実施形態２について図７、図８を用いて説明する。本実施形態にかかる通信装置（０７０１）は、着信側通信装置に関する技術である。発信側通信装置（０７０２）から着信側通信装置（０７０１）に発呼が行われると、着信側にて着信動作が行われるとともに、同時に発信側に呼出音データを送信する。このとき、本実施形態にかかる通信装置は、位置情報と呼出音データとの関連付け（０７０４）を参照して、発信側の位置に応じた呼出音データを送信する。例えば、発信側通信装置（０７０２）がエリア１から呼出を行う場合には、着信側通信装置（０７０１）では音楽１を呼出音データとして送信し、発信側通信装置（０７０３）がエリア２から呼出を行う場合には、着信側通信装置（０７０１）では、音楽２を呼出音データとして送信する。このため、発信側通信装置では、呼出を行う位置に応じて異なる呼出音を聞くことができる。
【００４４】
また、図８に本実施形態にかかる通信装置の他の実施態様を示す。本実施形態にかかる通信装置は、着信側通信装置（０８０１、０８０２）に関する技術である。図８に示す通信装置（０８０１）では、発信側通信装置（０８０３）から着信側通信装置（０８０１）に発呼が行われると、着信側通信装置は、位置情報と呼出音データとの関連付け（０８０４）を参照して、着信側の位置に応じた呼出音データを送信する。例えば、着信側通信装置（０８０１）がエリア１にいるときに発信側通信装置（０８０３）から呼出を受けると、着信側通信装置（０８０１）では音楽１を呼出音データとして送信し、着信側通信装置（０８０２）がエリア２にいるときに発信側通信装置から呼出を受けると、着信側通信装置（０８０２）では、音楽２を呼出音データとして送信する。このため、発信側通信装置（０８０３）では、着信側通信装置の位置に応じて異なる呼出音を聞くことができる。
【００４５】
（実施形態２の構成）図９に本実施形態にかかる通信装置の機能ブロック図の一例を示す。本実施形態にかかる「通信装置」（０９００）は、「保持部」（０９０１）と、「発信側通信装置位置情報取得部」（０９０２）及び「着信側通信装置位置情報取得部」（０９０３）のいずれか一又は二と、「選択部」（０９０４）と、「呼出音データ送信部」（０９０５）とからなる。「発信側通信装置位置情報取得部」の構成は実施形態１と同様であるため、説明を省略する。また、通信装置を構成する各部のハードウェア構成は、図１０に示すように、ＣＰＵ（１００１）、ＲＯＭ（１００２）、ＲＡＭ（１００３）、スピーカ（１００４）、アンテナ及び通信部（１００５）、ＧＰＳ（１００６）などからなる。図１０に示すのは一例であり、同様の機能を有する装置によって種々置き換えることが可能である。
【００４６】
（実施形態２の構成の説明）「通信装置」（０９００）とは、通信機能を有する電子機器である。本実施形態における通信装置は、発信側通信装置からの呼出に対して後述する呼出音データ送信部が呼出音データを発信側通信装置に送信するため、携帯電話、固定電話、ＰＨＳなどの通話機能を有する通信装置が該当する。
【００４７】
「保持部」（０９０１）は、位置情報と呼出音データとを関連付けて保持するように構成されている。保持部は、図１０に示すＲＯＭ（１００２）などから構成される。
【００４８】
位置情報とは、実施形態１にて説明したとおりである。「呼出音データ」とは、通信装置にて着信動作が行われている間に、着信側通信装置から発信側通信装置に送信されるデータをいう。「呼出音」とは、通信装置にて着信動作が行われている間に、発信側通信装置の通話用スピーカから流れてくる音である。近年は、ＮＴＴドコモ（登録商標）のメロディコール（登録商標）のように、好みの音楽などを発信者側に呼出音（リングバックトーン）として聴かせることができるサービスがある。リングバックトーンとは、発呼者に回線交換作業が終了し、被呼者を呼び出し中であることを知らせるための音のことを言う。このように、呼出音データは、音楽データや音声データなど、送信することで呼び出し中であることが聴覚によって認識可能な音を出力可能なデータである。実施形態１の場合と同様に、保持部では、位置情報と呼出音データとをテーブルにて関連付けて、この関連付けられた情報を図１０に示すＲＯＭなどの記録領域に格納することにより保持する。図４にて、「着信音データ」との記載されている欄を「呼出音データ」と置き換えたテーブルにて、呼出音データが関連付けられた様子を例示することができる。これを図１１に示す。図１１の詳細については、図４と同様であるため説明を省略する。
【００４９】
「着信側通信装置位置情報取得部」（０９０３）は、着信側通信装置位置情報を取得するように構成されている。着信側通信装置位置情報とは、着信側通信装置の位置情報である。着信側通信装置位置情報取得部では、発信側通信装置からの着信信号を受けると、自らの通信装置が存在している位置情報を取得する。図１０に示すように、発信側通信装置位置情報取得部は、ＧＰＳ（１００６）、ＲＯＭ（１００２）などから構成される。着信側通信装置位置情報取得部では、発信側通信装置から着信を受けると、ＧＰＳ（１００６）にて自己の通信装置が存在する位置の位置情報を取得する。ＧＰＳで取得される位置情報は、通常は緯度経度であるため、これらを行政区域名や対応する記号等に変換する機能を有していてもよい。なお、取得する位置情報に付随して、位置情報にて識別される地域の天気情報などを同時に取得しても良い。
【００５０】
「選択部」（０９０４）は、発信側通信装置位置情報取得部（０９０２）又は着信側位置情報取得部（０９０３）にて取得された発信側通信装置位置情報又は着信側通信装置位置情報のいずれかに応じて保持部（０９０１）に保持されている呼出音データを選択するように構成されている。選択部は、具体的には図１０に示すＣＰＵ（１００１）、ＲＯＭ（１００２）、ＲＡＭ（１００３）などから構成される。発信側通信装置位置情報取得部又は着信側通信装置位置情報取得部にて位置情報を取得すると、ＣＰＵ（１００１）にてＲＯＭ（１００２）に格納された選択プログラムを起動し、ＲＡＭ（１００３）を作業領域としてＲＯＭ（１００２）に格納された呼出音データを選択することができる。
【００５１】
例えば、前記取得した位置情報が、「神奈川県横浜市」との位置情報を取得した場合には、選択部では図１１に示すテーブルを参照して、呼出音データの中から「音楽データ２」を選択する。また、取得した位置情報がいずれの着信音データとも関連付けられていない場合には、「その他の地域」に関連付けられた「音楽データ３」を選択する。
【００５２】
「呼出音データ送信部」（０９０５）は、前記選択部にて選択された呼出音データを発信側通信装置に送信するように構成されている。図１０に示すように、呼出音データ送信部は、具体的にはＣＰＵ（１００１）、ＲＯＭ（１００２）、アンテナ及び通信部（１００５）などから構成される。選択部（０９０４）にて呼出音データが選択されると、呼出音データ送信部では、選択された呼出音データを一時的にＲＡＭ（１００３）に格納し、該呼出音データをストリーミング再生して、アンテナ及び通信部（１００５）を介して発信側通信装置に送信する。発信側通信装置では着信側通信装置からストリーミング再生された呼出音データを受信し、受信した呼出音データを利用して通話用スピーカなどから呼出音を出力する。また、呼出音データをストリーミング再生せずにファイル形式にて送信し、発信側通信装置において受信したファイルを読み込んで呼出音を出力することとしても良い。
【００５３】
例えば、上記例のように、選択部にて「神奈川県横浜市」との位置情報に関連付けられた「音楽データ２」が選択された場合には、呼出音データ送信部では、「音楽データ２」をストリーミング再生して発信側通信装置へ送信する。したがって、発信側通信装置では、着信側の通信装置を呼び出している間は「音楽データ２」を利用した呼出音が通話用スピーカから流れる。呼出音が着信側通信装置位置情報に応じて選択されたものであれば、発信者は、着信者が呼び出しに応じなくても着信側通信装置が存在する位置を知ることができる。また、呼出音が発信側通信装置位置情報に応じて選択されたものであれば、発信者は、自分の位置に応じた呼出音を聴くことができ、アミューズメント要素が高まる。
【００５４】
（実施形態２の具体例）図５を用いて本実施形態の通信装置として携帯電話を用いた場合の具体的な構成を示す。また、図１２、図１３に本実施形態の通信装置の処理の流れを示す。図５に示す携帯電話において、本実施形態にかかる通信装置の保持部（０９０１）は、メモリ（０５０５）が相当し、発信側通信装置位置情報取得部（０９０２）は、主制御器（０５０１）、無線通信器（０５０２）、メモリ（０５０５）などが相当し、着信側通信装置位置情報取得部（０９０３）は、ＧＰＳ（０５０９）、メモリ（０５０５）などが相当し、選択部（０９０４）は、主制御器（０５０１）、メモリ（０５０５）などが相当し、呼出音データ送信部（０９０５）は、主制御器（０５０１）、メモリ（０５０５）、無線通信器（０５０２）などが相当する。
【００５５】
次に本実施形態の通信装置の処理の流れを示す。図１２に示すのは、発信側通信装置位置情報取得部にて取得した発信側通信装置位置情報に応じた呼出音データを送信する場合の処理の流れである。まず、発信側通信装置から着信側通信装置への発呼に基づいて、着信側通信装置にて着信が行われると（Ｓ１２０１）、着信側通信装置では、着信信号に発信側通信装置位置情報が含まれているか否かを判断する（Ｓ１２０２）。着信信号に該位置情報が含まれている場合には、該着信信号から発信側通信装置位置情報取得部にて発信側通信装置の位置情報を取得する（Ｓ１２０３）。また、着信信号に発信側通信装置位置情報が含まれていない場合であっても、その着信信号の発信側通信装置が固定電話である場合には、電話番号の市外局番から発信側通信装置の位置情報を取得することができる（Ｓ１２０５）。発信側通信装置の位置情報を取得すると、選択部にて取得した位置情報に対応する呼出音データを選択する（Ｓ１２０７）。しかし、取得した位置情報に対応する呼出音データが存在しない場合（Ｓ１２０６，ＮＯ）、又は、発信側通信装置位置情報取得部にて位置情報を取得できなかった場合（Ｓ１２０４，ＮＯ）には、標準設定の呼出音データを選択する（Ｓ１２０８、Ｓ１２０９）。標準設定の呼出音データとは、図１１に示したような「その他の地域」との位置情報と関連付けられた呼出音データなどである。そして、選択した呼出音データを呼出音として発信側通信装置へ送信する（Ｓ１２１０）。
【００５６】
また、図１３に示すのは、着信側通信装置位置情報取得部にて取得した着信側通信装置位置情報に応じて呼出音を送信する場合の処理の流れである。まず、発信側通信装置から着信側通信装置への発呼に基づいて、着信側通信装置にて着信が行われると（Ｓ１３０１）、着信側通信装置では、自己の現在位置に関する位置情報をＧＰＳ等にて取得する（Ｓ１３０２）。着信側通信装置位置情報取得部にて通信装置の位置情報を取得すると、選択部にて取得した位置情報に対応する呼出音データを選択する（Ｓ１３０４）。しかし、取得した位置情報に対応する呼出音データが存在しない場合（Ｓ１３０３，ＮＯ）には、標準設定の呼出音データを選択する（Ｓ１３０５）。そして、選択した呼出音データを呼出音として発信側通信装置へ送信する（Ｓ１３０６）。
【００５７】
（実施形態２の効果）以上のような構成をとる本発明の通信装置では、着信側通信装置位置情報に応じて発信側通信装置における呼出音を変更することができ、発信者は着信者が応答しなくても着信者側である通信装置が存在する位置を知ることができる。また、発信側通信装置の位置に応じて呼出音データを変更することができる。このため、発信者は着信者が応答するまでの間に、自らの位置に応じた呼出音を聞くことができ、アミューズメント要素が高い通信装置を提供することができる。
【００５８】
《実施形態３》（実施形態３の概念）実施形態３について図１４を用いて説明する。本実施形態にかかる通信装置（１４０１）は、着信側通信装置に関する技術である。発信側通信装置（１４０２）から着信側通信装置（１４０１）に呼出を行い、一定時間内に着信側が呼出に応じない場合には「ただいま電話に出ることができません」などといった応答メッセージを発信側へ送信する機能が一般的に付加されている。本実施形態にかかる通信装置では、着信側通信装置は位置情報と応答メッセージデータとの関連付け（１４０４）を参照して、発信側の位置に応じた応答メッセージデータを送信する。例えば、発信側通信装置（１４０２）がエリア１から呼出を行う場合には、着信側通信装置（１４０１）は応答メッセージ１を送信し、発信側通信装置（１４０２）がエリア２から呼出を行う場合には、着信側通信装置（１４０１）は応答メッセージ２を送信する。このため、発信側通信装置では、呼出を行う位置に応じて異なる応答メッセージを聞くことができる。
【００５９】
また、図１５は、本実施形態にかかる通信装置の他の実施例を示している。図１５では、発信側通信装置（１５０３）から着信側通信装置（１５０１）への呼出に応じない場合には、着信側通信装置は位置情報と応答メッセージデータとの関連付け（１５０４）を参照して、着信側の位置に応じた応答メッセージを送信する。例えば、着信側通信装置（１５０１）がエリア１にいるときに発信側通信装置（１５０３）からの呼出が行われた場合には、着信側通信装置（１５０１）では応答メッセージ１を発信側通信装置に送信し、着信側通信装置（１５０２）がエリア２にいるときに発信側通信装置（１５０３）からの呼出が行われた場合には、着信側通信装置（１５０２）では、応答メッセージ２を発信側通信装置に送信する。このため、発信側通信装置では、着信側通信装置の位置に応じて異なる応答メッセージを聞くことができる。
【００６０】
（実施形態３の構成）図１６に本実施形態にかかる通信装置の機能ブロック図の一例を示す。本実施形態にかかる「通信装置」（１６００）は、「保持部」（１６０１）と、「発信側通信装置位置情報取得部」（１６０２）及び「着信側通信装置位置情報取得部」（１６０３）のいずれか一又は二と、「選択部」（１６０４）と、「応答メッセージデータ送信部」（１６０５）とからなる。「発信側通信装置位置情報取得部」の構成は実施形態１と、「着信側通信装置位置情報取得部」の構成は実施形態２と同様であるため、説明を省略する。また、通信装置を構成する各部のハードウェア構成は、図１７に示すように、ＣＰＵ（１７０１）、ＲＯＭ（１７０２）、ＲＡＭ（１７０３）、スピーカ（１７０４）、アンテナ及び通信部（１７０５）、ＧＰＳ（１７０６）などからなる。図１７に示すのは一例であり、同様の機能を有する装置によって種々置き換えることが可能である。
【００６１】
（実施形態３の構成の説明）「通信装置」（１６００）とは、通信機能を有する電子機器である。本実施形態における通信装置は、発信側通信装置からの呼出に対して着信側通信装置が応答するものであるため、携帯電話、固定電話、ＰＨＳなどの通話機能を有する通信装置が該当する。
【００６２】
「保持部」（１６０１）は、位置情報と応答メッセージデータとを関連付けて保持するように構成されている。保持部は、図１７に示すＲＯＭ（１７０２）などから構成される。
【００６３】
位置情報とは、実施形態１にて説明したとおりである。「応答メッセージデータ」とは、通信装置にて着信動作が行われている間に、相手からの呼出に応じなかった場合に発信者通信装置に対して送出するメッセージ（応答メッセージ）が含まれたデータである。応答メッセージとしては、一般的には「ただいま電話に出ることができません。後ほど改めてご連絡ください。」といった内容の文章である。本実施形態における通信装置では、着信側通信装置あるいは発信側通信装置の位置情報に応じた応答メッセージを送出するため、次のような応答メッセージが設定される。
【００６４】
まず、着信側である通信装置（１６００）の位置情報に応じた応答メッセージの例を示す。例えば、通信装置（１６００）に会社の位置情報を予め入力しておき、会社の位置情報と着信側通信装置位置情報取得部（１６０３）にて取得した着信側通信装置位置情報とが一致する場合にはビジネス用として、「現在仕事中のため、電話に出られません。勤務時間外に再度ご連絡をお願いします。」などといった予め定められた応答メッセージ（以下、「定型メッセージ」という）を送出することができる。また、通信装置の現在位置に関する位置情報が会社の位置情報と一致しない場合には、通常用として、「ただいま電話に出られません、もう一度お掛け直し下さい。」などといった定型メッセージを送出することとしてもよい。また、取得した位置情報に関する地名等を定型メッセージに組み入れて、「現在『新宿』にいます。残念ながらお電話に出られません。またお掛け直し下さい。」などと、現在地を伝えるような応答メッセージとしても良いし、東京在住の人が旅行の際に流す応答メッセージとして、「ただいま、なんと『北海道』に来ています。あまりにすばらしいところなので電話に出ることができませんでした。またお掛け直し下さい。」などとしてもよい。『』で囲まれた部分は取得した位置情報から作成された通信装置の現在地を示す任意の言葉が入るようにし、その他の部分は通常用、旅行用、ビジネス用などの定型メッセージを用意しておき、ユーザが適宜設定変更するようにしても良い（このように取得した位置情報を一部に含む応答メッセージを以下、「組込型メッセージ」という）。
【００６５】
次に、発信側通信装置の位置情報に応じた応答メッセージの例を示す。例えば、発信側通信装置位置情報取得部にて発信側通信装置位置情報として、「福岡県福岡市」との位置情報を取得した場合には、「『福岡市』からのお電話ありがとうございます。ただいま電話に出ることができません。またお掛け直し下さい」などとした応答メッセージを送信する。『』で囲まれた部分は取得した発信側通信装置位置情報から作成された発信側通信装置の位置を示す任意の言葉が入るようにすることができる。
【００６６】
また、実施形態２に示したように、着信側通信装置位置情報又は発信側通信装置位置情報のいずれかに応じて呼出音を変更する場合には、呼出音データと応答メッセージデータとを連動させて、「ただいまの曲は『○○』の『×××』です。いま電話に出られませんので、もう一度お掛け直し下さい。」などと応答メッセージにて呼出音に用いた音楽データの曲紹介をすることとしても良い（以下、これを「音楽紹介型メッセージ」という）。この場合には、『』で囲まれた部分には、呼出音として設定した音楽データのタイトルや歌手名などの言葉が入るようにする。
【００６７】
実施形態２の場合と同様に、保持部では、位置情報と応答メッセージデータとをテーブルにて関連付けて、この関連付けられた情報を図１７に示すＲＯＭなどの記録領域に格納することにより保持する。図１８に定型の応答メッセージが位置情報と関連付けられた様子を例示する。図１８の詳細については、図４と同様であるため説明を省略する。
【００６８】
「選択部」（１６０４）は、発信側通信装置位置情報取得部（１６０２）又は着信側位置情報取得部（１６０３）にて取得された発信側通信装置位置情報又は着信側通信装置位置情報に応じて保持部（１６０１）に保持されている応答メッセージデータを選択するように構成されている。選択部は、図１７に示すＣＰＵ（１７０１）、ＲＯＭ（１７０２）、ＲＡＭ（１７０３）などから構成される。発信側通信装置位置情報取得部又は着信側通信装置位置情報取得部にて位置情報を取得すると、ＣＰＵ（１７０１）にてＲＯＭ（１７０２）に格納された選択プログラムを起動し、ＲＡＭ（１７０３）を作業領域としてＲＯＭ（１７０２）に格納された応答メッセージデータを選択することができる。
【００６９】
例えば、前記取得した位置情報が、「神奈川県横浜市」との位置情報を取得した場合には、選択部では図１８に示すテーブルを参照して、応答メッセージデータの中から「メッセージ２」を選択する。また、取得した位置情報がいずれの応答メッセージデータとも関連付けられていない場合や位置情報を取得できなかった場合には、「その他の地域」に関連付けられた「メッセージ３」を選択する。これらの応答メッセージは、定型メッセージとしても組込型メッセージとしても良いが、位置情報が取得できなかった場合に備えてその他の地域に関連付けたれたメッセージ３には、位置情報をメッセージ中に含まない定型メッセージデータとすることが望ましい。
【００７０】
また、組込型メッセージを選択する場合は、選択部では次のようにしてメッセージを選択する。仮に、「ただいま『○○』にいます。電話に出ることができません。」との組込型メッセージの『』で囲まれた部分に位置情報に関する言葉を入れて応答メッセージを作成するとした場合において、「神奈川県横浜市」との位置情報を取得すると、選択部では、「ただいま『神奈川県横浜市』にいます。電話に出ることができません。」との応答メッセージデータを選択することとなる。
【００７１】
「応答メッセージデータ送信部」（１６０５）は、前記選択された応答メッセージデータを発信側通信装置に送信するように構成されている。応答メッセージデータ送信部では、発信側通信装置の呼出を受けた通信装置（１６００）にて定められた呼出応答時間内に着信者が応答しなかった場合に、応答メッセージデータ送信部では応答メッセージデータを発信側通信装置に送信する。発信側通信装置では、通話用スピーカなどから受信した応答メッセージデータを利用した応答メッセージを出力することができる。
【００７２】
（実施形態３の具体例）図５を用いて本実施形態の通信装置として携帯電話を用いた場合の具体的な構成を示す。図５に示す携帯電話において、本実施形態にかかる通信装置の保持部（１６０１）は、メモリ（０５０５）が相当し、発信側通信装置位置情報取得部（１６０２）は、主制御器（０５０１）、無線通信器（０５０２）、メモリ（０５０５）などが相当し、着信側通信装置位置情報取得部（１６０３）は、ＧＰＳ（０５０９）、メモリ（０５０５）などが相当し、選択部（１６０４）は、主制御器（０５０１）、メモリ（０５０５）などが相当し、応答メッセージデータ送信部（１６０５）は、主制御器（０５０１）、メモリ（０５０５）、無線通信器（０５０２）などが相当する。
【００７３】
また、図１９、図２０に本実施形態の通信装置の処理の流れを示す。図１９に示すのは、発信側通信装置位置情報取得部（１６０２）にて取得した発信側通信装置位置情報に応じた応答メッセージデータを送信する場合の処理の流れである。まず、発信側通信装置から着信側通信装置への発呼に基づいて、着信側通信装置にて着信が行われると（Ｓ１９０１）、着信側通信装置では、着信信号に位置情報が含まれているか否かを判断する（Ｓ１９０１）。着信信号に位置情報が含まれている場合には、その着信信号から発信側通信装置位置情報取得部にて発信側通信装置の位置情報を取得する（Ｓ１９０２）。また、着信信号に位置情報が含まれていない場合であっても、その着信信号が固定電話からの通話接続要求である場合には、電話番号の市外局番から発信側通信装置の位置情報を取得することができる（Ｓ１９０５）。発信側通信装置の位置情報を取得すると、選択部にて取得した位置情報に対応する応答メッセージデータを選択する（Ｓ１９０７）。しかし、取得した位置情報に対応する応答メッセージデータが存在しない場合（Ｓ１９０５、ＮＯ）、又は、発信側通信装置位置情報取得部にて位置情報を取得できなかった場合（Ｓ１９０４、ＮＯ）には、標準設定の応答メッセージデータを選択する（Ｓ１９０８、１９０９）。標準設定の応答メッセージデータとは、図１８に示したような「その他の地域」との位置情報と関連付けられた応答メッセージデータなどである。そして、着信側通信装置が発信側通信装置の呼出に一定時間内に応答しなかった場合には、選択した応答メッセージデータを発信側通信装置へ送信する（Ｓ１９１０）。
【００７４】
また、図２０に示すのは、着信側通信装置位置情報取得部にて取得した着信側通信装置位置情報に応じた応答メッセージデータを送信する場合の処理の流れである。まず、通信装置にて着信を受けると（Ｓ２００１）、着信側通信装置位置情報取得部にて、通信装置の位置情報をＧＰＳ等にて取得する（Ｓ２００２）。着信側通信装置位置情報取得部にて通信装置の位置情報を取得すると、選択部にて取得した位置情報に対応する応答メッセージデータを選択する（Ｓ２００４）。しかし、取得した位置情報に対応する応答メッセージデータが存在しない場合には、標準設定の応答メッセージデータを選択する（Ｓ２００５）。応答メッセージデータの選択時に、上述のとおり、呼出音データと応答メッセージデータとを関連付けて、音楽紹介型メッセージ等を選択してもよい。そして、着信側通信装置が発信側通信装置の呼出に一定時間内に応答しなかった場合には、選択した応答メッセージを発信側通信装置へ送信する（Ｓ２００６）。
【００７５】
（実施形態３の効果）以上のような構成をとる本実施形態の通信装置では、着信側である通信装置の位置情報に応じて発信側通信装置に送信する応答メッセージデータを変更することができ、発信者は着信者が応答しなくても通信装置が存在する位置を知ることができる。また、本実施形態の通信装置では、発信側通信装置の位置に応じて送信する応答メッセージデータを変更することができるため、着信者が応答しなかった場合であっても、発信側通信装置の位置に応じた応答メッセージを発信者に聴かせることができ、アミューズメント要素が高い通信装置を提供することができる。
【００７６】
《実施形態４》（実施形態４の概念）実施形態４について図２１、図２２を用いて説明する。図２１は、本実施形態にかかる通信装置として携帯電話を利用した場合を例示している。本実施形態にかかる通信装置（２１０１、２１０２）は、着信側通信装置に関する技術である。発信側通信装置（２１０３）から着信側通信装置（２１０１）に呼出を行うと、通信装置のディスプレイに着信を知らせる画面（着信画面）が表示される。このとき、本実施形態にかかる通信装置は、位置情報と着信画面データとの関連付け（２１０４）を参照して、着信側の位置に応じた着信画面を表示する。例えば、着信側通信装置（２１０１）がエリア１にて着信を受けた場合には、着信側通信装置（２１０１）のディスプレイには画面１が着信画面として表示され、着信側通信装置（２１０２）がエリア２にて着信を受けた場合には、着信側通信装置（２１０２）のディスプレイには画面２が着信画面として表示される。このため、本実施形態の通信装置では、着信を受ける位置に応じて異なる着信画面を見ることができる。図２１に示す通信装置では、エリア１にて着信を受けると、「現在地は『エリア１』です。」との着信画面を表示し、エリア２にて着信を受けると、「現在地は『エリア２』です。」との着信画面を表示している。
【００７７】
また、図２２は、本実施形態にかかる通信装置として固定電話を利用した場合の他の実施例を示している。図２２では、着信側通信装置は、位置情報と呼出音データとの関連付け（２２０４）を参照して、発信側の位置に応じた着信画面を表示する。例えば、発信側通信装置（２２０２）がエリア１から着信側に対して発信を行った場合には、着信側通信装置（２１０１）のディスプレイには画面１が着信画面として表示され、発信側通信装置（２２０３）がエリア２から着信側に対して発信を行った場合には、着信側通信装置（２２０２）のディスプレイには画面２が着信画面として表示される。このため、本実施形態の通信装置では、着信を受ける位置に応じて異なる着信画面を見ることができる。図２２に示す通信装置では、例えば、エリア１が静岡、エリア２が沖縄だとすると、エリア１からの発信を受けると富士山の画像の着信画面を表示し、エリア２からの発信を受けると椰子の木の画像の着信画面を表示するように関連付けられている様子を示している。
【００７８】
（実施形態４の構成）図２３に本実施形態にかかる通信装置の機能ブロック図の一例を示す。本実施形態にかかる「通信装置」（２３００）は、「保持部」（２３０１）と、「発信側通信装置位置情報取得部」（２３０２）及び「着信側通信装置位置情報取得部」（２３０３）と、「選択部」（２３０４）と、「表示部」（２３０５）とからなる。「発信側通信装置位置情報取得部」及び「着信側通信装置位置情報取得部」の構成は実施形態２と同様であるため、説明を省略する。また、通信装置を構成する各部のハードウェア構成は、図２４に示すように、ＣＰＵ（２４０１）、ＲＯＭ（２４０２）、ＲＡＭ（２４０３）、アンテナ及び通信部（２４０４）、ＧＰＳ（２４０５）、ディスプレイ（２４０６）などからなる。図２４に示すのは一例であり、同様の機能を有する装置によって種々置き換えることが可能である。
【００７９】
（実施形態４の構成の説明）「通信装置」（２３００）とは、通信機能を有する電子機器である。本実施形態における通信装置は、画面データを表示可能なディスプレイなどの表示部（２３０４）を有する装置であり、より具体的には、主に、携帯電話、固定電話、ＰＨＳ、ポケットベルなどが該当し、電子メール機能やメッセンジャー機能等を有するＰＤＡ、ノートパソコン、デスクトップパソコン、カーナビゲーションシステム、デジタルテレビ、情報家電なども該当し得る。
【００８０】
「保持部」（２３０１）は、位置情報と着信画面データとを関連付けて保持するように構成されている。保持部は、図２４に示すＲＯＭ（２４０２）などから構成される。
【００８１】
位置情報とは、実施形態１にて説明したとおりである。「着信画面データ」とは、通信装置にて着信動作が行われている間に、着信側通信装置の後述する表示部（２３０４）にて着信画面を表示するためのデータをいう。「着信画面」とは、通信装置にて着信動作が行われている間に、通信装置の表示部に表示される画面である。着信画面データには、静止画像データ（ＪＰＧ形式、ＢＭＰ形式、ＴＩＦＦ形式、ＧＩＦ形式など）や動画像データ（ＭＰＥＧ形式、ＡＶＩ形式、ＭＯＶ形式など）、テキスト文章（ＴＸＴ形式など）など、表示することで着信中であることが視覚にて認識可能なデータである。例えば、ＮＴＴドコモ（商標登録）が提供している着モーション（登録商標）などがこれに該当する。また、着信画面データとしては、他にも、位置情報に関する言葉を含めた「現在地は『品川』です。」などといった、テキスト文章であっても良いし、複数の静止画像を用意し、位置情報に応じて異なる静止画像を表示することとしても良い。静止画像とは、富士山や東京タワーといった位置情報を視覚的に示すことが可能な風景などの画像であっても良いし、位置情報とは無関係な画像であっても良い。例えば、富士山の画像を「静岡県」との位置情報などと関連付けて保持部にて保持したり、東京タワーの画像を「東京都」との位置情報などと関連付けて保持したりすることで、位置情報に応じた着信画面とすることができる。
【００８２】
実施形態１の場合と同様に、保持部では、位置情報と着信画面データとをテーブルにて関連付けて、この関連付けられた情報を図２４に示すＲＯＭなどの記録領域に格納することにより保持する。図２５に位置情報と着信画面データとが関連付けられている様子を例示する。
【００８３】
「選択部」（２３０３）は、着信側位置情報取得部（２３０２）にて取得された着信側通信装置位置情報に応じて保持部（２３０１）に保持されている着信画面データを選択するように構成されている。選択部は、図２４に示すＣＰＵ（２４０１）、ＲＯＭ（２４０２）、ＲＡＭ（２４０３）などから構成される。着信側通信装置位置情報取得部にて位置情報を取得すると、ＣＰＵ（２４０１）にてＲＯＭ（２４０２）に格納された選択プログラムを起動し、ＲＡＭ（２４０３）を作業領域としてＲＯＭ（２４０２）に格納された着信画面データを選択することができる。
【００８４】
例えば、前記取得した位置情報が、「神奈川県横浜市」との位置情報である場合には、選択部では図２５に示すテーブルを参照して、着信画面データの中から「画面データ２」を選択する。また、取得した位置情報がいずれの着信画面データとも関連付けられていない場合には、「その他の地域」に関連付けられた「画面データ３」を選択する。
【００８５】
「表示部」（２３０４）は、前記選択部（２３０３）にて選択された着信画面データを表示するように構成されている。表示部は、図２４に示すディスプレイ（２４０６）などから構成される。選択部（２３０３）にて着信画面データが選択されると、表示部では、選択された着信画面データをディスプレイにて表示する。例えば、上記例のように、選択部にて「神奈川県横浜市」との位置情報に関連付けられた「画面データ２」が選択された場合には、表示部では、「画面データ２」を利用して着信画面をディスプレイ表示する。このため、着信者は自分の位置に応じた着信画面を見ることができるので、現在の位置情報を視覚的に認識するができる。また、位置情報に応じて着信画面が変更されるため、アミューズメント要素が高い通信装置を提供することができる。
【００８６】
（実施形態４の具体例）図５を用いて本実施形態の通信装置として携帯電話を用いた場合の具体的な構成を示す。図５に示す携帯電話において、本実施形態にかかる通信装置の保持部（２３０１）は、メモリ（０５０５）が相当し、着信側通信装置位置情報取得部（２３０２）は、ＧＰＳ（０５０９）、メモリ（０５０５）などが相当し、選択部（２３０３）は、主制御器（０５０１）、メモリ（０５０５）などが相当し、表示部（２３０４）は、ディスプレイ（０５０４）などが相当する。
【００８７】
次に、図２６、図２７に本実施形態の通信装置の処理の流れを示す。図２６に示すのは、着信側通信装置位置情報取得部にて取得した着信側通信装置位置情報に応じた着信画面を表示する場合の処理の流れである。まず、通信装置にて着信を受けると（Ｓ２６０１）、着信側通信装置位置情報取得部にて、通信装置の位置情報をＧＰＳ等にて取得する（Ｓ２６０２）。着信側通信装置位置情報取得部にて通信装置の位置情報を取得すると、選択部にて取得した位置情報に関連付けられた着信画面データを選択する（Ｓ２６０４）。しかし、取得した位置情報に対応する着信画面データが存在しない場合には、標準設定の着信画面データを選択する（Ｓ２６０５）。標準設定の着信画面データとは、図２５に示したような「その他の地域」との位置情報と関連付けられた着信画面データなどである。そして、選択した着信画面データを利用した着信画面を表示部に表示する（Ｓ２６０６）。
【００８８】
また、図２７に示すのは、発信側通信装置位置情報取得部にて取得した発信側通信装置位置情報に関連付けられた着信画面データを表示する場合の処理の流れである。まず、発信側通信装置から着信側通信装置への発呼に基づいて、着信側通信装置にて着信が行われると（Ｓ２７０１）、着信側通信装置では、着信信号に位置情報が含まれているか否かを判断する（Ｓ２７０２）。着信信号に位置情報が含まれている場合には、その着信信号から発信側通信装置位置情報取得部にて発信側通信装置の位置情報を取得する（Ｓ２７０３）。また、着信信号に位置情報が含まれていない場合であっても、その着信信号が固定電話からの通話接続要求である場合には、電話番号の市外局番から発信側通信装置の位置情報を取得することができる（Ｓ２７０５）。発信側通信装置の位置情報を取得すると、選択部にて取得した位置情報に対応する着信画面データを選択する（Ｓ２７０７）。しかし、取得した位置情報に対応する着信画面データが存在しない場合（Ｓ２７０６、ＮＯ）、又は、発信側通信装置位置情報取得部にて位置情報を取得できなかった場合（Ｓ２７０４、ＮＯ）には、標準設定の呼出画面データを選択する（Ｓ２７０８、２７０９）。標準設定の呼出画面データとは、図２５に示したような「その他の地域」との位置情報と関連付けられた呼出画面データなどである。そして、選択した呼出画面データを発信側通信装置へ送信する（Ｓ２７１０）。
【００８９】
（実施形態４の効果）以上のような構成をとる本発明の通信装置では、着信者側の通信装置の位置情報に応じて着信者側の通信装置の着信画面を変更することができるため、着信者は自らの位置に応じた着信画面を見ることができる。これにより、自らの現在位置を即座に把握できるとともに、着信画面が現在位置に応じて変化するためアミューズメント要素の高い通信装置を提供することができる。
【００９０】
《実施形態５》（実施形態５の概念）実施形態５について図２８、図２９を用いて説明する。図２８は、本実施形態にかかる通信装置として固定電話を利用した場合を例示している。本実施形態にかかる通信装置（２８０１）は、着信側通信装置に関する技術である。発信側通信装置（２８０２）から着信側通信装置（２８０１）に呼出を行うと、着信側では、着信動作が行われるが、同時に発信側に呼出画面データを送信する。このとき、本実施形態にかかる通信装置は、位置情報と呼出画面データとの関連付け（２８０４）を参照して、発信側の位置に応じた呼出画面データを送信する。例えば、発信側通信装置（２８０２）がエリア１から呼出を行う場合には、着信側である通信装置（２８０１）では画面１を呼出画面データとして発信側へ送信し、発信側通信装置（２８０３）がエリア２から呼出を行う場合には、着信側通信装置（２８０１）では、画面２を呼出画面データとして発信側へ送信する。このため、発信側通信装置では、呼出を行う位置に応じて異なる呼出画面データを受信し、異なる呼出画面を表示することができる。ここでは、エリア１の発信側通信装置には、「『エリア１』からのお電話ありがとう。」との呼出画面を形成する呼出画面データを送信し、エリア２の発信側通信装置には、「『エリア２』からのお電話ありがとう。」との呼出画面を形成する呼出画面データを送信している。
【００９１】
また、図２９は、本実施形態にかかる通信装置として携帯電話を利用した場合の他の実施例を示している。図２９では、発信側通信装置（２９０３）から着信側通信装置（２９０１）に呼出を行う際に、着信側通信装置は、位置情報と呼出音データとの関連付け（２９０４）を参照して、着信側の位置に応じた呼出画面データを送信する。このため、発信側通信装置では、着信側の位置に応じて異なる呼出画面を表示することができる。ここでは、着信側通信装置がエリア１にて着信を受けた場合には、発信側通信装置（２９０３）には、「ただいま『エリア１』にいます。」との呼出画面を形成する呼出画面データを送信し、着信側通信装置（２９０２）がエリア２にて着信を受けた場合には、「現在『エリア２』にいます。」との呼出画面を形成する呼出画面データを送信している。
【００９２】
（実施形態５の構成）図３０に本実施形態にかかる通信装置の機能ブロック図の一例を示す。本実施形態にかかる「通信装置」（３０００）は、「保持部」（３００１）と、「発信側通信装置位置情報取得部」（３００２）及び「着信側通信装置位置情報取得部」（３００３）のいずれか一又は二と、「選択部」（３００４）と、「呼出画面データ送信部」（３００５）とからなる。「発信側通信装置位置情報取得部」及び「着信側通信装置位置情報取得部」の構成は実施形態１又は２と同様であるため、説明を省略する。また、通信装置を構成する各部のハードウェア構成は、図３１に示すように、ＣＰＵ（３１０１）、ＲＯＭ（３１０２）、ＲＡＭ（３１０３）、アンテナ及び通信部（３１０４）、ＧＰＳ（３１０５）などからなる。図３１に示すのは一例であり、同様の機能を有する装置によって種々置き換えることが可能である。
【００９３】
（実施形態５の構成の説明）「保持部」（３００１）は、位置情報と呼出画面データとを関連付けて保持するように構成されている。保持部は、図３１に示すＲＯＭ（３１０２）などから構成される。
【００９４】
位置情報とは、実施形態１にて説明したとおりである。「呼出画面データ」とは、着信側である通信装置にて着信動作が行われている間に、発信側通信装置に送信して発信側通信装置のディスプレイに呼出画面を表示させるためのデータをいう。「呼出画面」とは、着信側の通信装置にて着信動作が行われている間に、発信側の通信装置のディスプレイに表示される画面である。呼出画面データは、着信画面データと同様に静止画像データや動画像データ、テキスト文章など、表示することで呼出中であることが視覚にて認識可能なデータをいう。呼出画面データとしては、例えば、位置情報に関する言葉を含めた「ただいま『品川』にいます。」などといったテキスト文章を表示しても良いし、複数の静止画像を用意し、位置情報に応じて異なる静止画像を表示することとしても良い。
【００９５】
実施形態４の場合と同様に、保持部（３００１）では、位置情報と呼出画面データとをテーブルにて関連付けて、この関連付けられた情報を図３１に示すＲＯＭなどの記録領域に格納することにより保持する。図３２に位置情報と呼出画面データとが関連付けられている様子を例示する。
【００９６】
「選択部」（３００４）は、発信側位置情報取得部（３００２）又は着信側通信装置位置情報取得部（３００３）にて取得された発信側通信装置位置情報又は着信側通信装置位置情報に応じて保持部（３００１）に保持されている呼出画面データを選択するように構成されている。選択部は、図３１に示すＣＰＵ（３１０１）、ＲＯＭ（３１０２）、ＲＡＭ（３１０３）などから構成される。発信側通信装置位置情報取得部又は着信側通信装置位置情報取得部にて位置情報を取得すると、ＣＰＵ（３１０１）にてＲＯＭ（３１０２）に格納された選択プログラムを起動し、ＲＡＭ（３１０３）を作業領域としてＲＯＭ（３１０２）に格納された着信画面データを選択することができる。
【００９７】
例えば、前記取得した位置情報が、「神奈川県横浜市」との位置情報である場合には、選択部では図３２に示すテーブルを参照して、呼出画面データの中から「画面データ２」を選択する。また、取得した位置情報がいずれの呼出画面データとも関連付けられていない場合には、「その他の地域」に関連付けられた「画面データ３」を選択する。
【００９８】
「呼出画面データ送信部」（３００５）は、前記選択部（３００４）にて選択された呼出画面データを発信側通信装置に送信するように構成されている。呼出画面データ送信部は、図３１に示すＣＰＵ（３１０１）、ＲＯＭ（３１０２）、アンテナ及び通信部（３１０４）などから構成される。選択部（３００４）にて呼出画面データが選択されると、呼出画面データ送信部では、選択された呼出画面データをアンテナ及び通信部（３１０４）を介して発信側通信装置に送信する。発信側通信装置では着信側通信装置から送信された呼出画面データにより、呼出画面が表示される。例えば、上記例のように、選択部にて「神奈川県横浜市」との位置情報に関連付けられた「画面データ２」が選択された場合には、呼出画面データ送信部では、「画面データ２」を発信側通信装置へ送信する。したがって、発信側通信装置では、着信側の通信装置を呼び出している間は「画面データ２」にて表される静止画や動画の呼出画面がディスプレイに表示され、発信者はこの呼出画面を見ることができる。呼出画面データが着信側通信装置位置情報に応じて選択されたものであれば、発信者は、着信者が呼び出しに応じなくても着信側通信装置が存在する位置を知ることができる。また、呼出画面データが発信側通信装置位置情報に応じて選択されたものであれば、発信者は、発信側通信装置の位置に応じた呼出画面を見ることができる。したがって、アミューズメント要素が高い通信装置を提供することができる。
【００９９】
（実施形態５の具体例）図５を用いて本実施形態の通信装置として携帯電話を用いた場合の具体的な構成を示す。図５に示す携帯電話において、本実施形態にかかる通信装置の保持部（３００１）は、メモリ（０５０５）が相当し、発信側通信装置位置情報取得部（３００２）は、主制御器（０５０１）、無線通信器（０５０２）、メモリ（０５０５）などが相当し、着信側通信装置位置情報取得部（３００３）は、ＧＰＳ（０５０９）、メモリ（０５０５）などが相当し、選択部（３００４）は、主制御器（０５０１）、メモリ（０５０５）などが相当し、呼出画面データ送信部（３００５）は、主制御器（０５０１）、メモリ（０５０５）、無線通信器（０５０２）などが相当する。
【０１００】
次に本実施形態の通信装置の処理の流れを図３３、図３４に示す。図３３に示すのは、発信側通信装置位置情報取得部にて取得した発信側通信装置位置情報に関連付けられた呼出画面データを送信する場合の処理の流れである。まず、発信側通信装置から着信側通信装置への発呼に基づいて、着信側通信装置にて着信が行われると（Ｓ３３０１）、着信側通信装置では、着信信号に位置情報が含まれているか否かを判断する（Ｓ３３０２）。着信信号に位置情報が含まれている場合には、その着信信号から発信側通信装置位置情報取得部にて発信側通信装置の位置情報を取得する（Ｓ３３０３）。また、着信信号に位置情報が含まれていない場合であっても、その着信信号が固定電話からの通話接続要求である場合には、電話番号の市外局番から発信側通信装置の位置情報を取得することができる（Ｓ３３０５）。発信側通信装置の位置情報を取得すると、選択部にて取得した位置情報に対応する呼出画面データを選択する（Ｓ３３０７）。しかし、取得した位置情報に対応する呼出画面データが存在しない場合（Ｓ３３０６、ＮＯ）、又は、発信側通信装置位置情報取得部にて位置情報を取得できなかった場合（Ｓ３３０４、ＮＯ）には、標準設定の呼出画面データを選択する（Ｓ３３０８、３１０９）。標準設定の呼出画面データとは、図３２に示したような「その他の地域」との位置情報と関連付けられた呼出画面データなどである。そして、選択した呼出画面データを発信側通信装置へ送信する（Ｓ３３１０）。
【０１０１】
また、図３４に示すのは、着信側通信装置位置情報取得部にて取得した着信側通信装置位置情報に関連付けられた呼出画面データを送信する場合の処理の流れである。まず、通信装置にて着信を受けると（Ｓ３４０１）、着信側通信装置位置情報取得部にて、通信装置の位置情報をＧＰＳ等にて取得する（Ｓ３４０２）。着信側通信装置位置情報取得部にて通信装置の位置情報を取得すると、選択部にて取得した位置情報に関連付けられた呼出画面データを選択する（Ｓ３４０４）。しかし、取得した位置情報に関連付けられた呼出画面データが存在しない場合（Ｓ３４０３、ＮＯ）には、標準設定の呼出画面データを選択する（Ｓ３４０５）。そして、選択した呼出画面データを発信側通信装置へ送信する（Ｓ３４０６）。
【０１０２】
（実施形態５の効果）以上のような構成をとる本発明の通信装置では、通信装置の位置情報に応じて発信側通信装置における呼出画面を変更することができ、発信者は着信者が応答しなくても着信側である通信装置が存在する位置を知ることができる。また、本実施形態の通信装置では、発信側通信装置の位置に応じた呼出画面データを送信することができるため、発信者は着信者が応答するまでの間に、自らの位置に応じた呼出画面を見ることができ、アミューズメント要素が高い通信装置を提供することができる。
【０１０３】
≪実施形態６≫（実施形態６の概要）実施形態１から実施形態５に記載の通信装置では、通信装置内に着信音データ、呼出音データ、応答メッセージ、着信画面データ、呼出画面データ等を保持している必要があった。しかし、これらのデータを通信装置内で保持するために必要となるメモリ領域には限界がある。したがって、これらのデータ容量が大きくなると、全ての位置情報に対応するように各種データを揃えることが困難となる。
【０１０４】
そこで、本実施形態にかかる通信システムでは、これらのデータをサーバにて保持し、必要に応じてサーバから着信側通信装置又は送信側通信装置に各種データを送信するようにした。
【０１０５】
図３５では、発信側通信装置の位置情報に応じて、着信音保持サーバから着信側通信装置に着信音データを送信する通信システムを示している。図３５に示すように、発信側通信装置（３５０２）から着信側通信装置（３５０１）に対して発呼が行われた場合に、着信音保持サーバ（３５０３）では交換器（３５０４）から発呼があったことを検出して、発信側通信装置位置情報を取得し、取得した位置情報に応じて着信側通信装置に着信音データを送信することとしている。
【０１０６】
本実施形態における通信システムは、この他にも、
・着信側通信装置位置情報に応じて着信音データを着信側通信装置に送信する
・発信側通信装置位置情報に応じて呼出音データを発信側通信装置に送信する
・着信側通信装置位置情報に応じて呼出音データを発信側通信装置に送信する
・着信側通信装置位置情報に応じて応答メッセージデータを発信側通信装置に送信する
・発信側通信装置位置情報に応じて応答メッセージデータを発信側通信装置に送信する
・発信側通信装置位置情報に応じて着信画面データを着信側通信装置に送信する
・着信側通信装置位置情報に応じて着信画面データを着信側通信装置に送信する
・発信側通信装置位置情報に応じて呼出画面データを発信側通信装置に送信する
・着信側通信装置位置情報に応じて呼出画面データを発信側通信装置に送信する
ことができる通信システムに関する技術である。
【０１０７】
（実施形態６の構成）図３６に本実施形態にかかる通信システムの機能ブロック図の一例を示す。本実施形態にかかる「通信システム」は、「着信側通信装置」（３６１０）と、「発信側通信装置」（３６２０）と、「保持サーバ」（３６３０）とからなる。
【０１０８】
「着信側通信装置」（３６１０）は、さらに、「データ受信部」（３６１１）と、「着信音出力部」（３６１２）又は「着信画面表示部」（３６１３）のいずれか一又は二と、を有する。なお、「データ受信部」（３６１１）は、「着信音データ受信部」（３６１４）又は「着信画面データ受信部」（３６１５）のいずれか一又は二を有する。
【０１０９】
「発信側通信装置」（３６２０）は、さらに、「データ受信部」（３６２１）と、「呼出音出力部」（３６２２）又は「応答メッセージ出力部」（３６２３）又は「呼出画面表示部」（３６２４）のいずれか一又は二以上と、を有する。なお、「データ受信部」（３６２１）は、「呼出音データ受信部」（３６２５）又は「応答メッセージ受信部」（３６２６）又は「呼出画面データ受信部」（３６２７）のいずれか一又は二以上を有する。
【０１１０】
「保持サーバ」（３６３０）は、さらに、「保持部」（３６３１）と、「発信側通信装置位置情報取得部」（３６３２）又は「着信側通信装置位置情報取得部」（３６３３）のいずれか一又は二と、「選択部」（３６３４）と、「データ送信部」（３６３５）とからなる。
【０１１１】
（実施形態６の構成の説明）本実施形態における「通信システム」とは、着信側通信装置（３６１０）及び発信側通信装置（３６２０）、保持サーバ（３６３０）からなる。
【０１１２】
「保持サーバ」（３６３０）は、着信音データ、呼出音データ、応答メッセージデータ、着信画面データ、呼出画面データ等を保持可能なサーバ装置である。保持サーバは、後述する保持部（３６３１）にて位置情報と関連付けて保持するデータの種類に応じて、着信音データを保持する着信音データ保持サーバ、呼出音データを保持する呼出音データ保持サーバ、応答メッセージデータを保持する応答メッセージデータ保持サーバ、着信画面データを保持する着信画面データ保持サーバ、呼出画面データを保持する呼出画面保持サーバとすることができる。また、これらの各種データを保持する保持サーバは、一のサーバにおいて複数の種類のデータを保持することも可能である。例えば、着信音データと呼出音データとを保持するサーバであっても良いし、同一の音楽データ等を場面に応じて着信音データ、呼出音データの双方に利用するために保持するサーバであっても良い。
【０１１３】
保持サーバ（３６３０）では、まず、発信側通信装置から着信側通信装置へ発呼が行われると、発信側通信装置位置情報取得部（３６３２）又は着信側通信装置位置情報取得部（３６３３）にて、発呼信号などから発信側通信装置位置情報又は着信側通信装置位置情報のいずれか一又は二を取得する。そして、選択部（３６３４）にて取得した位置情報に関連付けられた各種データを選択する。この選択したデータを、データ送信部（３６３５）にて発信側通信装置（３６１０）又は着信側通信装置（３６２０）に送信するように構成されている。なお、各種データとは、着信音データ、呼出音データ、応答メッセージ、着信画面データ、呼出画面データをいう。図３５では、発信側通信装置（３５０２）からの発呼を検出する交換器（３５０４）と、各種データを保持する保持サーバ（３５０３）とが別個に設けられている様子を示している。しかし、これらの機能を併せ持った一のサーバ装置を用いることとしても良い。
【０１１４】
「保持部」（３６３１）は、位置情報と各種データとを関連付けて保持するように構成されている。位置情報とは、実施形態１にて説明したとおりである。上述のとおり、保持部に保持されるデータの種類により保持サーバを特定することができる。保持サーバでは、図３７に示すように、各種データと、位置情報とを関連付けて保持している。保持サーバの保持部にて位置情報を関連付けられた各種データを保持することで、通信を行う端末装置においてデータの記録可能容量の制限を受けることは無い。また、保持サーバの保持部を大容量のＨＤＤを用いることで、各種データと関連付ける位置情報を細かく設定することも可能となる。このため、例えば、日本全国全ての地域や市区町村を示す位置情報に、その土地特有の着信音、呼出音、着信画面、呼出画面などを詳細に関連付けた、『ご当地着信音』、『ご当地呼出音』、『ご当地着信画面』、『ご当地呼出画面』などを着信側通信装置（３６１０）又は発信側通信装置（３６２０）に送信することが可能である。また、応答メッセージでは、日本全国全ての土地特有の方言にて表現された応答メッセージを位置情報と関連付けて保持部（３６３１）に保持することなどが可能である。また、これらのデータを、年毎、季節毎、月毎、日毎などに更新することとしても良い。このようにして関連付けられた各種データは、実施形態１から５に記載の通信装置における保持部においても保持することが可能であるが、記憶容量に限りがあるため、普段利用しないデータを保持することは非効率的である。しかし、保持サーバ（３６３０）における保持部（３６３１）は通信装置のように記憶容量が制限されることなく、大容量の記憶領域を確保することができるため、これらのあらゆる位置情報を様々なデータと関連付けて保持することが可能である。
【０１１５】
また、上記保持部（３６３１）では、全ての利用者に共通の各種データを提供する場合について説明したが、保持サーバは複数の利用者から利用されるため、利用者ごとに位置情報と各種データとの関連付けを行っても良い。例えば、図３７に示すように、保持サーバ（３６３０）にて利用者の電話番号を登録し、この登録した電話番号をＩＤとして利用者を識別し、ＩＤごとに位置情報と各種データを関連付けてもよい。なお、図３７は、音楽データを保持している場合を示しているが、画像データや応答メッセージデータ等であっても同様である。また、電子メール等の受信時における着信音等を位置情報と関連付けする場合には、メールアドレス等がＩＤとして登録される。
【０１１６】
「発信側通信装置位置情報取得部」（３６３２）は、発信側通信装置位置情報を取得するように構成されている。しかし、発信側通信装置位置情報が取得できるのは、発信側通信装置（３６２０）から行われる発呼とともに発信側通信装置位置情報が送信された場合である。このため、発信側通信装置（３６２０）では、例えば、ＧＰＳを備え、ＧＰＳにて取得した位置情報を発呼とともに保持サーバに送信する機能を有していてもよい。また、発信側通信装置がＧＰＳを備えていない場合であっても、図３５に示すように、発呼の際に経由した基地局の位置情報などから発信側通信装置位置情報を取得することも可能である。また、発信側通信装置が固定電話の場合には、発信元の市外局番から発信側通信装置の位置情報を特定することも可能である。
【０１１７】
「着信側通信装置位置情報取得部」（３６３３）は、着信側通信装置位置情報を取得するように構成されている。着信側通信装置（３６１０）では、例えば、ＧＰＳを備え、ＧＰＳにて取得した位置情報を着信とともに保持サーバへ送信する機能を有していてもよい。また、着信側通信装置がＧＰＳを備えていない場合であっても、図３５に示すように、着信側通信装置を呼び出す際に経由した基地局の位置情報などから着信側通信装置位置情報を取得することも可能である。また、着信側通信装置が固定電話の場合には、着信先の市外局番から着信側通信装置の位置情報を特定することも可能となる。
【０１１８】
「選択部」（３６３４）は、発信側位置情報取得部（３６３２）にて取得された発信側通信装置位置情報、又は着信側位置情報取得部にて取得された着信側通信装置位置情報に応じて保持部（３６３１）に保持されている各種データを選択するように構成されている。
【０１１９】
例えば、発信元電話番号が（０９０−○○○○−△△△△）であって、前記取得した位置情報が、「神奈川県横浜市」との位置情報である場合には、選択部では図３７に示すような保持部（３６３１）に保持されたテーブルを参照して、着信音データの中から「音楽Ｃ」を選択する。
【０１２０】
「データ送信部」（３６３５）は、前記選択部（３６３４）にて選択された各種データを送信するように構成されている。データ送信部は、送信するデータに応じて、着信音データを着信側通信装置（３６１０）に送信する着信音データ送信部、呼出音データを発信側通信装置（３６２０）に送信する呼出音データ送信部、応答メッセージデータを発信側通信装置（３６２０）に送信する応答メッセージデータ送信部、着信画面データを着信側通信装置に送信する着信画面データ送信部、呼出画面データを発信側通信装置に送信する呼出画面データ送信部とすることができる。発信側通信装置（３６２０）又は着信側通信装置（３６１０）では保持サーバから送信された各種データにより、着信音等が出力される。例えば、上記例のように、選択部にて「神奈川県横浜市」との位置情報に関連付けられた「音楽Ｃ」が選択された場合には、保持サーバでは、着信音データとして「音楽Ｃ」をストリーミング再生などすることにより着信側通信装置（３６１０）へ送信する。したがって、着信側通信装置では、着信音として「音楽Ｃ」が出力され、着信者は、この着信音を聞くことができる。同様に、「音楽Ｃ」が呼出音データとして発信側通信装置（３６２０）へ送信された場合には、発信側通信装置では「音楽Ｃ」が呼出音として出力される。
【０１２１】
「着信側通信装置」（３６１０）は、発信側通信装置（３６２０）からの発呼を受け付けるように構成されている。また、保持サーバから着信音データを受信する場合には「着信音データ受信部」（３６１４）と「着信音出力部」（３６１２）を、着信画面データを受信する場合には「着信画面データ受信部」（３６１５）と、「着信画面表示部」（３６１３）を備える。なお、これらの機能を複数併せ持つ構成を備えていてもよい。
【０１２２】
「着信音データ受信部」（３６１４）は、発信側通信装置（３６２０）から着信側通信装置（３６１０）へ発呼が行われた際に、着信音データ保持サーバから送信された着信音データを受信するように構成されている。着信音データ受信部は、アンテナ及び通信部などから構成されている。
【０１２３】
「着信音出力部」（３６１２）は、前記発呼に基づく着信動作において受信した着信音データを利用した着信音を出力するように構成されている。着信音出力部は、報知用スピーカなどにて構成される。着信側通信装置では、着信動作が行われている間に、着信音出力部にて出力される着信音を聴くことができる。
【０１２４】
「着信画面データ受信部」（３６１５）は、発信側通信装置（３６２０）から着信側通信装置（３６１０）へ発呼が行われた際に、着信画面データ保持サーバから送信された着信画面データを受信するように構成されている。着信画面データ受信部は、アンテナ及び通信部などから構成されている。
【０１２５】
「着信画面表示部」（３６１３）は、前記発呼に基づく着信動作において受信した着信画面データを利用した着信画面を表示するように構成されている。着信画面表示部は、ディスプレイなどから構成されている。着信側通信装置では、着信動作が行われている間、着信画面表示部にて表示される着信画面を見ることができる。
【０１２６】
なお、着信側通信装置が実施形態１から５に記載の通信装置である場合には、着信側通信装置においても位置情報に応じた着信音データや着信画面データを選択することができる。このため、自ら選択した着信音データ等と保持サーバから送信される着信音データ等のどちらかを優先的に選択するように設定可能とすることが望ましい。また、保持サーバから着信音データ等を受信するのは着信側通信装置にて着信音データ等を選択しないように設定した場合のみとしても良い。
【０１２７】
「発信側通信装置」（３６２０）は、着信側通信装置（３６１０）に対して発呼を行うように構成されている。また、発信側通信装置は、保持サーバから呼出音データを受信する場合には「呼出音データ受信部」（３６２５）と、「呼出音出力部」（３６２２）を、応答メッセージデータを受信する場合には「応答メッセージデータ受信部」（３６２６）と、「応答メッセージ出力部」（３６２３）を、呼出画面データを受信する場合には、「呼出画面データ受信部」（３６２７）と、「呼出画面表示部」（３６２４）を備える。なお、これらの機能を複数併せ持つ構成を備えていてもよい。
【０１２８】
「呼出音データ受信部」（３６２５）は、発信側通信装置（３６２０）から着信側通信装置（３６１０）へ発呼が行われた際に、呼出音データ保持サーバから送信された呼出音データを受信するように構成されている。呼出音データ受信部は、アンテナ及び通信部などから構成されている。
【０１２９】
「呼出音出力部」（３６２２）は、前記発呼に基づく呼出動作において受信した呼出音データを利用した呼出音を出力するように構成されている。呼出音出力部は、通話用スピーカなどにて構成される。「呼出動作」とは、着信側通信装置を呼び出している間に発信側通信装置の通話用スピーカから呼出音が流れる動作をいう。発信側通信装置では、着信側通信装置を呼び出している間、呼出音出力部にて出力される呼出音を聴くことができる。
【０１３０】
「応答メッセージデータ受信部」（３６２６）は、発信側通信装置（３６２０）から着信側通信装置（３６１０）へ発呼が行われた際に、応答メッセージデータ保持サーバから送信された応答メッセージデータを受信するように構成されている。応答メッセージデータ受信部は、アンテナ及び通信部などから構成されている。なお、受信する応答メッセージデータの内容については、実施形態３にて例示したとおりである。
【０１３１】
「応答メッセージ出力部」（３６２３）は、着信側通信装置からの応答が無いと判断した場合には、受信した応答メッセージデータを出力するように構成されている。応答メッセージ出力部は、通話用スピーカなどにて構成される。応答が無いとの判断は、着信側通信装置にて一定時間内に応答が無い場合や、着信者が会議中などで応答拒否を行っている場合に判断される。このような場合には、一般的には着信者が応答する代わりに応答メッセージが着信側通信装置から出力される。応答メッセージ出力部では、応答メッセージデータ受信部にて受信したデータを利用した応答メッセージを出力する。
【０１３２】
「呼出画面データ受信部」（３６２７）は、発信側通信装置（３６２０）から着信側通信装置（３６１０）へ発呼が行われた際に、呼出画面データ保持サーバから送信された呼出画面データを受信するように構成されている。呼出画面データ受信部は、アンテナ及び通信部などから構成されている。
【０１３３】
「呼出画面表示部」（３６２４）は、前記発呼に基づく呼出動作において受信した呼出画面データを利用した呼出画面を表示するように構成されている。呼出画面表示部は、ディスプレイなどから構成される。発信側通信装置では、着信側通信装置を呼び出している間、呼出画面表示部にて表示される呼出画面を見ることができる。
【０１３４】
なお、着信側通信装置が実施形態１から５に記載の通信装置である場合には、着信側通信装置が発信側通信装置に対して位置情報に応じた呼出音データや呼出画面データや応答メッセージデータを送信することもできる。このため、着信側通信装置において選択した呼出音データ等と保持サーバから送信される呼出音データ等のどちらかを優先的に選択するように発信側通信装置において設定可能とすることとしても良い。また、保持サーバから呼出音データ等を受信するのは、発信側通信装置において、着信側通信装置から呼出音データ等を受信しないように設定した場合のみとしても良い。
【０１３５】
（実施形態６の具体例）図３８〜図４２に、本実施形態の通信システムの処理の流れを示す。
なお、図３８は、保持サーバにて、
・発信側通信装置位置情報に応じて着信音データを着信側通信装置に送信する場合
・発信側通信装置位置情報に応じて着信画面データを着信側通信装置に送信する場合
の処理の流れを示している（これをケース１とする）。
図３９は、保持サーバにて、
・着信側通信装置位置情報に応じて着信音データを着信側通信装置に送信する場合
・着信側通信装置位置情報に応じて着信画面データを着信側通信装置に送信する場合
の処理の流れを示している（これをケース２とする）。
図４０は、保持サーバにて、
・発信側通信装置位置情報に応じて呼出音データを発信側通信装置に送信する場合
・発信側通信装置位置情報に応じて呼出画面データを発信側通信装置に送信する場合
の処理の流れを示している（これをケース３とする）。
図４１は、保持サーバにて、
・着信側通信装置位置情報に応じて呼出音データを発信側通信装置に送信する場合
・着信側通信装置位置情報に応じて呼出画面データを発信側通信装置に送信する場合
の処理の流れを示している（これをケース４とする）。
図４２は、保持サーバにて、
・着信側通信装置位置情報に応じて応答メッセージデータを発信側通信装置に送信する場合
・発信側通信装置位置情報に応じて応答メッセージデータを発信側通信装置に送信する場合
の処理の流れを示している（これをケース５とする）。
【０１３６】
まず、図３８を用いてケース１の場合について保持サーバにて行われる処理の流れを説明する。まず、発信側通信装置から着信側通信装置に発呼が行われると、着信音保持サーバ又は着信画面保持サーバにて発呼を検出する（Ｓ３８０１）。保持サーバにて発呼を検出すると、その発呼における着信信号に発信側通信装置の位置情報が含まれているか否かを判断する（Ｓ３８０２）。このとき、図３７に示すように、利用者毎に位置情報と各種データが関連付けられている場合には、ＩＤとなる発信側通信装置の電話番号やＥメールアドレスを同時に取得する。そして、着信信号に位置情報が含まれている場合には、その着信信号から保持サーバの発信側通信装置位置情報取得部にて発信側通信装置の位置情報を取得する（Ｓ３８０３）。また、着信信号に位置情報が含まれていない場合であっても、その着信信号が固定電話からの通話接続要求である場合には、電話番号の市外局番から発信側通信装置の位置情報を取得することができる（Ｓ３８０５）。発信側通信装置の位置情報を取得すると、選択部にて取得した位置情報に対応する着信音データ又は着信画面データ（以下、これらをまとめて「着信データ」という）を選択する（Ｓ３８０７）。しかし、取得した位置情報に対応する着信データが存在しない場合（Ｓ３８０６、ＮＯ）、又は、発信側通信装置位置情報取得部にて位置情報を取得できなかった場合（Ｓ３８０４、ＮＯ）には、標準設定の着信データを選択する（Ｓ３８０８、Ｓ３８０９）。標準設定の着信データとは、「その他の地域」との位置情報と関連付けられた着信データなどである。そして、選択した着信データを着信音又は着信画面として着信側通信装置へ送信する（Ｓ３８１０）。着信側通信装置では、保持サーバから送信された着信データを着信音データ受信部又は着信画面データ受信部にて受信する。そして受信した着信音データは着信音として着信側通信装置の着信音出力部から出力され、受信した着信画面データは着信画面として着信側通信装置の着信画面表示部にて表示される。このようにして、着信側通信装置では、発信側通信装置の位置情報に応じて選択された着信音を聞くこと又は着信画面を見ることができ、発呼に対して応答しなくとも発信側通信装置が存在している位置を知ることができる。また、保持サーバを介することで着信データにより発信側通信装置及び着信側通信装置の双方の記憶領域が圧迫されるということも無い。
【０１３７】
次に、図３９を用いてケース２の場合について保持サーバにて行われる処理の流れを説明する。まず、発信側通信装置から着信側通信装置に発呼が行われると、着信音保持サーバ又は着信画面保持サーバにて発呼を検出する（Ｓ３９０１）。保持サーバにて発呼を検出すると、その発呼における着信信号に着信側通信装置の位置情報が含まれているか否かを判断する（Ｓ３９０２）。このとき、図３７に示すように、利用者毎に位置情報と各種データが関連付けられている場合には、ＩＤとなる着信側通信装置の電話番号やＥメールアドレスを同時に取得する。そして、着信信号に位置情報が含まれている場合には、該着信信号から保持サーバの着信側通信装置位置情報取得部にて着信側通信装置の位置情報を取得する（Ｓ３９０３）。また、着信信号に位置情報が含まれていない場合であっても、その着信信号が固定電話への通話接続要求である場合には、発信先の電話番号の市外局番から着信側通信装置の位置情報を取得することができる（Ｓ３９０５）。また、図３５に示すように、着信側通信装置を呼び出す際に経由する基地局等から着信側通信装置の位置情報を取得しても良い。着信側通信装置の位置情報を取得すると、選択部にて取得した位置情報に対応する着信データを選択する（Ｓ３９０７）。しかし、取得した位置情報に対応する着信データが存在しない場合（Ｓ３９０６、ＮＯ）、又は、着信側通信装置位置情報取得部にて位置情報を取得できなかった場合（Ｓ３９０４、ＮＯ）には、標準設定の着信データを選択する（Ｓ３９０８、Ｓ３９０９）。そして、選択した着信データを着信音又は着信画面として着信側通信装置へ送信する（Ｓ３９１０）。このようにして、着信側通信装置では、保持サーバから送信された着信データを着信音データ受信部又は着信画面データ受信部にて受信する。そして受信した着信音データは着信音として着信側通信装置の着信音出力部から出力され、受信した着信画面データは着信画面として着信側通信装置の着信画面表示部にて表示される。着信側通信装置では、自己の位置情報に応じて選択された着信音を聞くこと又は着信画面を見ることができ、アミューズメント要素が高い通信システムを提供することができる。また、保持サーバを介することで、着信データにより発信側通信装置及び着信側通信装置の双方の記憶領域が圧迫されるということも無い。
【０１３８】
次に、図４０を用いてケース３の場合について保持サーバにて行われる処理の流れを説明する。まず、発信側通信装置から着信側通信装置に発呼が行われると、呼出音保持サーバ又は呼出画面保持サーバにて発呼を検出する（Ｓ４００１）。保持サーバにて発呼を検出すると、その発呼における着信信号に発信側通信装置の位置情報が含まれているか否かを判断する（Ｓ４００２）。このとき、図３７に示すように、利用者毎に位置情報と各種データが関連付けられている場合には、ＩＤとなる発信側通信装置の電話番号やＥメールアドレスを同時に取得する。そして、着信信号に位置情報が含まれている場合には、その着信信号から保持サーバの発信側通信装置位置情報取得部にて発信側通信装置の位置情報を取得する（Ｓ４００３）。また、着信信号に位置情報が含まれていない場合であっても、その着信信号が固定電話からの通話接続要求である場合には、電話番号の市外局番から発信側通信装置の位置情報を取得することができる（Ｓ４００５）。発信側通信装置位置情報を取得すると、選択部にて取得した位置情報に対応する呼出音データ又は呼出画面データ（以下、これらをまとめて「呼出データ」という）を選択する（Ｓ１２０４）。しかし、取得した位置情報に対応する呼出データが存在しない場合（Ｓ４００６、ＮＯ）、又は、発信側通信装置位置情報取得部にて位置情報を取得できなかった場合（Ｓ４００４、ＮＯ）には、標準設定の呼出データを選択する（Ｓ４００８、Ｓ４００９）。そして、選択した呼出データは呼出音又は呼出画面として発信側通信装置へ送信される（Ｓ４０１０）。発信側通信装置では、保持サーバから送信された呼出データを呼出音データ受信部又は呼出画面データ受信部にて受信する。そして受信した呼出音データは呼出音として発信側通信装置の呼出音出力部から出力され、受信した呼出画面データは呼出画面として発信側通信装置の呼出画面表示部にて表示される。このようにして、発信側通信装置では、自己の位置情報に応じて選択された呼出音を聞くこと又は呼出画面を見ることができ、アミューズメント要素が高い通信システムを提供することができる。また、保持サーバを介することで、呼出データにより発信側通信装置及び着信側通信装置の双方の記憶領域が圧迫されるということも無い。
【０１３９】
次に、図４１を用いてケース４の場合について保持サーバにて行われる処理の流れを説明する。まず、発信側通信装置から着信側通信装置に発呼が行われると、呼出音保持サーバ又は呼出画面保持サーバにて発呼を検出する（Ｓ４１０１）。保持サーバにて発呼を検出すると、その発呼における着信信号に着信側通信装置の位置情報が含まれているか否かを判断する（Ｓ４１０２）。このとき、図３７に示すように、利用者毎に位置情報と各種データが関連付けられている場合には、ＩＤとなる着信側通信装置の電話番号やＥメールアドレスを同時に取得する。そして、着信信号に位置情報が含まれている場合には、該着信信号から保持サーバの着信側通信装置位置情報取得部にて着信側通信装置の位置情報を取得する（Ｓ４１０３）。また、着信信号に位置情報が含まれていない場合であっても、その着信信号が固定電話への通話接続要求である場合には、発信先の電話番号の市外局番から着信側通信装置の位置情報を取得することができる（Ｓ４１０５）。また、着信側通信装置を呼び出す際に経由する基地局等から着信側通信装置の位置情報を取得しても良い。着信側通信装置の位置情報を取得すると、選択部にて取得した位置情報に対応する呼出データを選択する（Ｓ４１０７）。しかし、取得した位置情報に対応する呼出データが存在しない場合（Ｓ４１０６、ＮＯ）、又は、着信側通信装置位置情報取得部にて位置情報を取得できなかった場合（Ｓ４１０４、ＮＯ）には、標準設定の呼出データを選択する（Ｓ４１０８、Ｓ４１０９）。そして、選択した呼出データは呼出音又は呼出画面として発信側通信装置へ送信する。発信側通信装置では、保持サーバから送信された呼出データを呼出音データ受信部又は呼出画面データ受信部にて受信する。そして受信した呼出音データは呼出音として発信側通信装置の呼出音出力部から出力され、受信した呼出画面データは呼出画面として発信側通信装置の呼出画面表示部にて表示される。このようにして、発信側通信装置では、着信側通信装置の位置情報に応じて選択された呼出音を聞くこと又は呼出画面を見ることができ、発呼に対して着信側通信装置が応答しなくとも、着信側通信装置が存在している位置を知ることができる。保持サーバを介することで、呼出データにより発信側通信装置及び着信側通信装置の双方の記憶領域が圧迫されるということも無い。
【０１４０】
次に、図４２を用いてケース５の場合について保持サーバにて行われる処理の流れを説明する。まず、発信側通信装置から着信側通信装置に発呼が行われると、応答メッセージデータ保持サーバにて発呼を検出する（Ｓ４２０１）。当該保持サーバにて発呼を検出すると、その発呼における着信信号に発信側通信装置又は着信側通信装置の位置情報が含まれているか否かを判断する（Ｓ４２０２）。このとき、図３７に示すように、利用者毎に位置情報と各種データが関連付けられている場合には、ＩＤとなる着信側通信装置又は発信側通信装置の電話番号やＥメールアドレスを同時に取得する。そして、着信信号に発信側通信装置又は着信側通信装置の位置情報が含まれている場合には、該着信信号から保持サーバの発信側通信装置位置情報取得部又は着信側通信装置位置情報取得部にて発信側通信装置又は着信側通信装置の位置情報を取得する（Ｓ４２０３）。また、着信信号にこれらの位置情報が含まれていない場合であっても、その着信信号が固定電話から、又は固定電話への通話接続要求である場合には、発信元又は発信先の電話番号の市外局番から発信側通信装置又は着信側通信装置の位置情報を取得することができる（Ｓ４２０５）。また、着信側通信装置を呼び出す際に経由する基地局等から着信側通信装置の位置情報を取得しても良い。発信側通信装置位置情報又は着信側通信装置位置情報を取得すると、選択部にて取得した位置情報に対応する応答メッセージデータを選択する（Ｓ４２０７）。しかし、取得した位置情報に対応する応答メッセージデータが存在しない場合（Ｓ４２０６、ＮＯ）又は位置情報を取得できなかった場合（Ｓ４２０４、ＮＯ）には、標準設定の応答メッセージデータを選択する（Ｓ４２０８、Ｓ４２０９）。そして、選択した応答メッセージデータは応答メッセージとして発信側通信装置へ送信される（Ｓ４２１０）。発信側通信装置では、保持サーバから送信された応答メッセージデータを応答メッセージ受信部にて受信する。そして受信した応答メッセージデータは、着信側通信装置からの応答が無い場合に、発信側通信装置の応答メッセージ出力部から出力される。このようにして、発信側通信装置では、着信側通信装置の位置情報に応じて選択された応答メッセージを聞くことができ、発呼に対して着信者が応答しなくとも、着信側通信装置がどこに存在しているのかを知ることができる。また、発信側通信装置の位置情報に応じて選択された応答メッセージを聞くことができ、アミューズメント要素が高い通信システムを提供することができる。また、保持サーバを介することで、呼出データにより発信側通信装置及び着信側通信装置の双方の記憶領域が圧迫されるということも無い。
【０１４１】
（実施形態６の効果）以上のような構成をとる本発明の通信装置では、実施形態１から５の効果に加えて、着信音データ、呼出音データ、着信画面データ、呼出画面データ、応答メッセージデータ等を通信装置ではなく、サーバにて記録、管理するため、これらのデータによって通信装置の記憶領域における記録可能容量が逼迫されるという虞も無い。このため、より多くの各種データの中から位置情報に応じたデータを選択することができ、より狭い地域単位で位置情報を設定可能とし、識別できる位置情報の精度を向上させることができる。また、よりアミューズメント要素が高い通信システムを提供することができる。
【０１４２】
≪実施形態７≫（実施形態７の概要）本実施形態にかかる通信装置は、実施形態１から５の通信装置を基本とし、着信側通信装置と発信側通信装置の双方の位置情報を取得し、取得した位置情報に応じて両者の相対的位置情報を算出する。そして、相対的位置情報と各種データとの関連付けを参照して、各種データを選択する。例えば、図４３に示す通信装置（４３０１）は、相対的位置情報と着信音データとが関連付けられている場合である。図４３に示すように、取得した相対的位置情報により、着信側である通信装置（４３０１）では、発信側通信装置（４３０２）との相対的な距離が近ければ、その近い距離に応じた着信音を、発信側通信装置（４３０３）との相対的な距離が遠ければ、その遠い距離に応じた着信音を出力する。通信装置（４３０１）では、相対的位置情報と各種データとの関連付け（４３０４）を参照して、相対的位置情報が直線距離にして１０ｋｍ未満である発信側通信装置（４３０２）からの発呼を受信した場合には、音楽１を着信音として出力し、１０ｋｍ以上である発信側通信装置（４３０３）からの発呼であれば音楽２を着信音として出力することとしている。また、着信音以外にも、呼出音、応答メッセージ、着信画面、呼出画面等を相対的位置情報に応じて変更することができる。
【０１４３】
（実施形態７の構成）図４４に本実施形態にかかる通信装置の機能ブロック図の一例を示す。本実施形態にかかる「通信装置」（４４００）は、「保持部」（４４０１）と、「発信側通信装置位置情報取得部」（４４０２）と、「着信側通信装置位置情報取得部」（４４０３）と、「相対的位置情報算出部」（４４０４）と、「選択部」（４４０５）と、「処理部」（４４０６）とからなる。「処理部」（４４０６）とは、実施形態１から５に記載の「着信音出力部」、「表示部」、「呼出音データ送信部」、「応答メッセージデータ送信部」、「呼出画面データ送信部」のいずれか一又は二以上からなる。「保持部」（４４０１）と、「相対的位置情報算出部」と、「選択部」以外の構成については、実施形態１から５のいずれかにおいて説明済みであるため説明を省略する。
【０１４４】
（実施形態７の構成の説明）「保持部」（４４０１）は発信側通信装置と着信側通信装置の相対的な位置関係を示す情報である相対的位置情報と着信画面データを関連付けて保持するように構成されている。相対的位置情報は、例えば、着信側通信装置と発信側通信装置との直線距離を「７．５ｋｍ」などと任意の数値で表しても良いし、ある一定の距離を閾値としてこの値を越えるか否かで「近い」又は「遠い」などと２値で表しても良い。また、直線的な距離のほかにも、発信側通信装置が着信側通信装置から見てどの方角に位置するかを「北東」、「南」などと表しても良い。これらのデータは適宜数値データ等に変換して利用することとしても良い。
【０１４５】
「相対的位置情報算出部」（４４０４）は、発信側通信装置位置情報取得部（４４０２）にて取得した発信側通信装置位置情報と、着信側通信装置位置情報取得部（４４０３）にて取得した着信側通信装置位置情報とにより、発信側通信装置と着信側通信装置との相対的な位置関係を示す情報である相対的位置情報を算出するように構成されている。
【０１４６】
相対的位置情報算出部（４４０４）では、例えば、両者の位置情報が緯度経度で取得された場合には、そのまま緯度経度の数値を用いて両者の直線距離を算出することができる。また、両者の位置情報が地名などの情報で取得される場合には、これらの情報と緯度経度情報との関連を予め通信装置に記憶しておき、取得した地名の位置情報を緯度経度情報に変換してから相対的な距離等を算出することとしても良い。
【０１４７】
「選択部」（４４０５）は、前記取得した相対的位置情報に応じて保持部（４４０１）に保持されている各種データを選択するように構成されている。各種データとは、着信音データ、呼出音データ、応答メッセージデータ、着信画面データ、呼出画面データ等である。
【０１４８】
まず、選択部にて着信音データ又は呼出音データを選択する場合について説明する。例えば、前記相対的位置情報算出部（４４０４）により、着信側通信装置と発信側通信装置との相対的な位置を算出し、「近い」との相対的位置情報が取得された場合には、選択部（４４０５）では、着信音データ又は呼出音データとして、「近い」との相対的位置情報と関連付けられた音声データを選択する。すると、着信者又は発信者は、発信側通信装置又は着信側通信装置が近くに存在することを知ることができる。また、着信側通信装置と発信側通信装置との位置が「遠い」との相対的位置情報が取得された場合には、選択部（４４０５）では、着信音データ又は呼出音データとして、「遠い」との相対的位置情報と関連付けられた音声データを選択する。すると、着信者又は発信者は、発信側通信装置又は着信側通信装置が遠くに存在することを知ることができる。例えば、「近い」との相対的位置情報とリズムの速い曲を関連付け、「遠い」との相対的位置情報とリズムの遅い曲を関連付けたりすることで、着信者又は発信者は、そのリズムの速さによって、相手の相対的な位置を知ることができる。
【０１４９】
次に、選択部（４４０５）にて応答メッセージデータを選択する場合について説明する。例えば、前記相対的位置情報算出部（４４０４）により、着信側通信装置と発信側通信装置との相対的位置情報を算出し、「５ｋｍ離れている」との相対的位置情報が取得された場合には、選択部（４４０５）では、「ただいまあなたの半径５ｋｍ以内におりますが、電話に出ることができません。」といった応答メッセージを選択する。仮に、着信者と発信者が待ち合わせをしている場合には、このような応答メッセージを発信者側で聞くと、「着信者側は現在向かっているが電車などに乗っているため電話に出られないのだろう」と推測することができる。また、「遠く北海道からのお電話ありがとうございます。ただいま電話に出ることができません。」といったように、遠近に関する言葉と、位置情報に関する言葉とを組み合わせた応答メッセージデータを選択することもできる。
【０１５０】
次に、選択部（４４０５）にて着信画面データ又は呼出画面データを選択する場合について説明する。例えば、前記相対的位置情報算出部（４４０４）により、相対的位置情報が算出され、発信側通信装置が着信側通信装置の「北」に位置するとの相対的位置情報が取得された場合には、着信側通信装置に備えられた表示部に北に関連付けられた着信画面データ、例えば、北を示す方位磁針を模した着信画面データなどを選択する。該着信画面データが通信装置に出力されると、着信者は、発信側通信装置がどの方角にいるかを知ることができる。また、同様に、発信側通信装置の呼出画面として、南との相対的位置情報に南を示す方位磁針を模した呼出画面データを関連付けておき、これを選択する。該呼出画面データが着信側の通信装置にて発信側通信装置に送信され、発信側通信装置にて出力されると、発信者は着信側通信装置がどの方角にいるのかを知ることができる。これらの方角を表す表示に加えて、双方の距離を示す数値を表示しても良い。
【０１５１】
なお、各種データの態様は上記記載に限られず、保持部にて保持可能なデータであればどのような表現形式であっても良い。
【０１５２】
（実施形態７の具体例）図５を用いて本実施形態の通信装置として携帯電話を用いた場合の具体的な構成を示す。また、図４５に本実施形態の通信装置の処理の流れを示す。図５に示す携帯電話において、本実施形態にかかる通信装置の保持部（４４０１）は、メモリ（０５０５）が相当し、発信側通信装置位置情報取得部（４４０２）は、主制御器（０５０１）、無線通信器（０５０２）、メモリ（０５０５）などが相当し、着信側通信装置位置情報取得部（４４０３）は、ＧＰＳ（０５０９）、メモリ（０５０５）などが相当し、相対的位置情報算出部（４４０４）は主制御器（０５０１）、メモリ（０５０５）などが相当し、選択部（４４０５）は主制御器（０５０１）、メモリ（０５０５）などが相当する。処理部（４４０６）を構成する各部については、着信音出力部は報知用スピーカ（０５０６）などが相当し、呼出音データ送信部は主制御器（０５０１）、メモリ（０５０５）、無線通信器（０５０２）などが相当し、応答メッセージデータ送信部は主制御器（０５０１）、メモリ（０５０５）、無線通信器（０５０２）などが相当し、表示部はディスプレイ（０５０４）などが相当し、呼出画面データ送信部は主制御器（０５０１）、メモリ（０５０５）、無線通信器（０５０２）などが相当する。
【０１５３】
次に図４５を用いて本実施形態の通信装置の処理の流れを示す。まず、発信側通信装置から着信側通信装置への発呼に基づいて、着信側通信装置にて着信が行われると（Ｓ４５０１）、通信装置では、着信側通信装置位置情報取得部にて、通信装置の位置情報をＧＰＳ等にて取得する（Ｓ４５０２）。次に、発信側通信装置位置情報取得部にて、着信信号に位置情報が含まれているか否かを判断する（Ｓ４５０３）。着信信号に位置情報が含まれている場合には、その着信信号から発信側通信装置の位置情報を取得する（Ｓ４５０４）。また、着信信号に位置情報が含まれていない場合であっても、その着信信号が固定電話からの通話接続要求である場合には、電話番号の市外局番から発信側通信装置の位置情報を取得することができる（Ｓ４５０６）。発信側通信装置位置情報取得部にて発信側通信装置位置情報を取得すると、相対的位置情報算出部にて相対的位置情報を算出して取得する（Ｓ４５０７）。相対的位置情報を算出すると、複数の各種データ（着信音データ、呼出音データ、応答メッセージデータ、着信画面データ、呼出画面データのうちいずれか）のうち、取得した相対的位置情報に関連付けられたデータがあれば、対応するデータを選択部にて選択する（Ｓ４５０９）。しかし、取得した相対的位置情報に関連付けられているデータが存在しない場合（Ｓ４５０８、ＮＯ）、又は、発信側通信装置位置情報取得部にて位置情報を取得できなかった場合（Ｓ４５０５、ＮＯ）には、標準設定のデータを選択する（Ｓ４５１０、Ｓ４５１１）。そして、選択した各種データに応じた処理を行う（Ｓ４５１２）。各種データに応じた処理とは、次の通りである。選択したデータが着信音データであれば、着信音出力部にて着信音データを出力する。選択したデータが呼出音データであれば、呼出音データ送信部にて呼出音データを発信側通信装置へ送信する。選択したデータが応答メッセージデータであれば、定められた呼出応答時間内に通信装置が応答しなかった場合に、応答メッセージデータ送信部にて応答メッセージデータを発信側通信装置に送信する。選択したデータが着信画面データであれば、表示部にて着信画面を表示する。選択したデータが呼出画面データであれば、呼出画面データ送信部にて呼出画面データを発信側通信装置へ送信する。
【０１５４】
（実施形態７の効果）以上のような構成をとる本実施形態の通信装置では、着信側通信装置と発信側通信装置の相対的な位置情報に応じて着信側通信装置にて出力する着信音や着信画面を変更させたり、発信側通信装置へ送信する呼出音や呼出画面、応答メッセージを変更させたりすることができるため、着信者が応答しなくても着信側通信装置又は発信側通信装置が相対的に存在する位置を知ることができる。また、このように相対的位置情報に応じて選択する各種データを変更させることができるため、アミューズメント要素が高い通信装置を提供することができる。
【０１５５】
≪実施形態８≫（実施形態８の概要）実施形態７に記載の通信装置では、通信装置内に着信音データ、呼出音データ、応答メッセージデータ、着信画面データ、呼出画面データ等を保持している必要がある。しかし、これらのデータを通信装置内で複数保持するために必要となるメモリ領域には限界がある。このため、全ての位置情報に対応するように各種データを揃えることが困難である。
【０１５６】
そこで、本実施形態では、実施形態６と同様に図４６に示すように、これらのデータを保持サーバにて保持し、必要に応じて保持サーバから着信側通信装置又は送信側通信装置に送信するようにしたものである。
【０１５７】
図４６では、着信側通信装置と発信側通信装置との相対的位置情報に応じて、着信音保持サーバから着信側通信装置に着信音データを送信する通信システムを示している。図４６に示すように、発信側通信装置（４６０２）から着信側通信装置（４６０１）に対して発呼が行われた場合に、着信音保持サーバ（４６０３）では交換器（４６０４）から発呼があったことを検出して、着信側通信装置位置情報及び発信側通信装置位置情報を取得し、取得した位置情報から両者の相対的位置情報を算出する。そして、取得した相対的位置情報に応じて着信側通信装置に着信音データを送信することとしている。
本実施形態における通信システムは、この他にも、
・相対的位置情報に応じて呼出音データを発信側通信装置に送信する
・相対的位置情報に応じて応答メッセージデータを発信側通信装置に送信する
・相対的位置情報に応じて着信画面データを着信側通信装置に送信する
・相対的位置情報に応じて呼出画面データを発信側通信装置に送信する
ことができる通信システムに関する技術である。
【０１５８】
（実施形態８の構成）図４７に本実施形態にかかる通信システムの機能ブロック図の一例を示す。本実施形態にかかる通信システムは、「着信側通信装置」（４７１０）と、「発信側通信装置」（４７２０）と、「保持サーバ」（４７３０）とからなる。「着信側通信装置」（４７１０）は、さらに、「データ受信部」（４７１１）と、「着信音出力部」（４７１２）又は「着信画面表示部」（４７１３）のいずれか一又は二を有する。「発信側通信装置」（４７２０）は、さらに、「データ受信部」（４７２１）と、「呼出音出力部」（４７２２）又は「応答メッセージ出力部」（４７２３）又は「呼出画面表示部」（４７２４）のいずれか一又は二以上を有する。「保持サーバ」（４７３０）は、さらに、「保持部」（４７３１）と、「発信側通信装置位置情報取得部」（４７３２）と、「着信側通信装置位置情報取得部」（４７３３）と、「相対的位置情報算出部」（４７３４）と、「選択部」（４７３５）と、「データ送信部」（４７３６）とからなる。「相対的位置情報算出部」と「選択部」以外の構成については実施形態６にて既に説明済みであるため、説明を省略する。
【０１５９】
（実施形態８の構成の説明）「相対的位置情報算出部」（４７３４）は、発信側通信装置位置情報取得部（４７３２）にて取得した発信側通信装置位置情報と着信側通信装置位置情報取得部（４７３３）にて取得した着信側通信装置位置情報とにより、発信側通信装置（４７２０）と着信側通信装置（４７１０）との相対的な位置関係を示す情報である相対的位置情報を算出して取得するように構成されている。相対的位置情報の取得方法は、実施形態７の通信装置における相対的位置情報算出部と同様である。
【０１６０】
「選択部」（４７３５）は、相対的位置情報算出部（４７３４）にて取得した相対的位置情報に応じて保持部（４７３１）に保持されている各種データを選択するように構成されている。各種データとは、着信音データ、呼出音データ、応答メッセージデータ、着信画面データ、呼出画面データ等である。選択部での各種データの選択方法についても、実施形態７の通信装置における選択部と同様である。
【０１６１】
（実施形態８の具体例）図４８〜図５０に、本実施形態の通信システムの処理の流れを示す。
なお、図４８は、保持サーバにて、相対的位置情報に応じて着信音データ又は着信画面データを着信側通信装置に送信する場合の処理の流れを示している（これをケース１とする）。
図４９は、保持サーバにて、相対的位置情報に応じて呼出音データ又は呼出画面データを発信側通信装置に送信する場合の処理の流れを示している（これをケース２とする）。
図５０は、保持サーバにて、相対的位置情報に応じて応答メッセージデータを発信側通信装置に送信する場合の処理の流れを示している（これをケース３とする）。
【０１６２】
図４８を用いてケース１の場合について保持サーバにおける処理方法を説明する。まず、発信側通信装置から着信側通信装置に発呼が行われると、着信音保持サーバ又は着信画面保持サーバにて発呼を検出する（Ｓ４８０１）。該保持サーバにて発呼を検出すると、その発呼における着信信号に発信側通信装置位置情報が含まれているか否かを判断する（Ｓ４８０２）。そして、着信信号に発信側通信装置位置情報が含まれている場合には、その着信信号から保持サーバの発信側通信装置位置情報取得部にて発信側通信装置位置情報を取得する（Ｓ４８０３）。さらに、該保持サーバでは、着信信号に着信側通信装置位置情報が含まれているか否かを判断する（Ｓ４８０６）。そして、着信信号に着信側通信装置位置情報が含まれている場合には、その着信信号から保持サーバの着信側通信装置位置情報取得部にて着信側通信装置位置情報を取得する（Ｓ４８０７）。また、着信信号にこれらの位置情報が含まれていない場合であっても、その着信信号が固定電話から、又は固定電話への通話接続要求である場合には、発信元又は発信先の電話番号の市外局番から位置情報を取得することができる（Ｓ４８０５、Ｓ４８０９）。また、着信側通信装置を呼び出す際に経由する基地局等から着信側通信装置の位置情報を取得しても良い。発信側通信装置位置情報及び着信側通信装置位置情報を取得すると、相対的位置情報算出部では、両者の相対的位置情報を算出して取得する（Ｓ４８１０）。そして、相対的位置情報を算出すると、選択部にて取得した相対的位置情報に対応する着信音データ又は着信画面データ（以下、これらをまとめて「着信データ」という）を選択する（Ｓ４８１２）。しかし、取得した相対的位置情報に対応する着信データが存在しない場合（Ｓ４８１１、ＮＯ）、又は、発信側通信装置位置情報又は着信側通信装置位置情報のどちらかが取得できなかった場合（Ｓ４８０４、Ｓ４８０８、ＮＯ）には、標準設定の着信データを選択する（Ｓ４８１３、Ｓ４８１４）。そして、選択した着信データは着信音又は着信画面として着信側通信装置へ送信される（Ｓ４８１５）。着信側通信装置では、保持サーバから送信された着信データを着信音データ受信部又は着信画面データ受信部にて受信する。受信した着信音データは着信音として着信側通信装置の着信音出力部から出力され、受信した着信画面データは着信画面として着信側通信装置の着信画面表示部にて表示される。このようにして、着信側通信装置では、相対的位置情報に応じて選択された着信音を聞くこと又は着信画面を見ることができ、発呼に対して応答しなくとも発信側通信装置が着信側通信装置に対して相対的に存在している位置を知ることができるとともに、着信側通信装置のアミューズメント要素を高めることができる。また、保持サーバを介することで着信データにより、発信側通信装置及び着信側通信装置の記憶領域が圧迫されるということも無い。
【０１６３】
次に、図４９を用いてケース２の場合について保持サーバにおける処理方法を説明する。まず、発信側通信装置から着信側通信装置に発呼が行われると、呼出音保持サーバ又は呼出画面保持サーバにて発呼を検出する（Ｓ４９０１）。該保持サーバにて発呼を検出すると、その発呼における着信信号に発信側通信装置位置情報が含まれているか否かを判断する（Ｓ４９０１）。そして、着信信号に発信側通信装置位置情報が含まれている場合には、その着信信号から保持サーバの発信側通信装置位置情報取得部にて発信側通信装置位置情報を取得する（Ｓ４９０３）。さらに、該保持サーバでは、着信信号に着信側通信装置位置情報が含まれているか否かを判断する（Ｓ４９０６）。そして、着信信号に着信側通信装置位置情報が含まれている場合には、その着信信号から保持サーバの着信側通信装置位置情報取得部にて着信側通信装置位置情報を取得する（Ｓ４９０７）。また、着信信号にこれらの位置情報が含まれていない場合であっても、その着信信号が固定電話から、又は固定電話への通話接続要求である場合には、発信元又は発信先の電話番号の市外局番から位置情報を取得することができる（Ｓ４９０５、Ｓ４９０９）。また、着信側通信装置を呼び出す際に経由する基地局等から着信側通信装置の位置情報を取得しても良い。発信側通信装置位置情報及び着信側通信装置位置情報を取得すると、相対的位置情報算出部では、両者の相対的位置情報を算出する（Ｓ４９１０）。そして、相対的位置情報を算出すると、選択部にて取得した相対的位置情報に対応する呼出音データ又は呼出画面データ（以下、これらをまとめて「呼出データ」という）を選択する（Ｓ４９１２）。しかし、取得した相対的位置情報に対応する呼出データが存在しない場合（Ｓ４９１１、ＮＯ）、又は、発信側通信装置位置情報又は着信側通信装置位置情報のどちらかが取得できなかった場合（Ｓ４９０４、Ｓ４９０８、ＮＯ）には、標準設定の呼出データを選択する（Ｓ４９１３、Ｓ４９１４）。そして、選択した呼出データは呼出音又は呼出画面として発信側通信装置へ送信される。受信した呼出音データは呼出音として発信側通信装置の呼出音出力部から出力され、受信した呼出画面データは呼出画面として発信側通信装置の呼出画面表示部にて表示される。発信側通信装置では、発信者は相対的位置情報に応じて選択された呼出音を聞くこと又は呼出画面を見ることができ、着信側通信装置が発呼に対して応答しなくとも着信側通信装置が発信側通信装置に対して相対的に存在している位置を知ることができるとともに、着信側通信装置のアミューズメント要素を高めることができる。また、保持サーバを介することで呼出データにより、発信側通信装置及び着信側通信装置の記憶領域が圧迫されるということも無い。
【０１６４】
次に、図５０を用いてケース３の場合について保持サーバにおける処理方法を説明する。まず、発信側通信装置から着信側通信装置に発呼が行われると、応答メッセージ保持サーバにて発呼を検出する（Ｓ５００１）。該保持サーバにて発呼を検出すると、その発呼における着信信号に発信側通信装置位置情報が含まれているか否かを判断する（Ｓ５００２）。そして、着信信号に発信側通信装置位置情報が含まれている場合には、その着信信号から保持サーバの発信側通信装置位置情報取得部にて発信側通信装置位置情報を取得する（Ｓ５００３）。さらに、該保持サーバでは、着信信号に着信側通信装置位置情報が含まれているか否かを判断する（Ｓ５００６）。そして、着信信号に着信側通信装置位置情報が含まれている場合には、その着信信号から保持サーバの着信側通信装置位置情報取得部にて着信側通信装置位置情報を取得する（Ｓ５００７）。また、着信信号にこれらの位置情報が含まれていない場合であっても、その着信信号が固定電話から、又は固定電話への通話接続要求である場合には、発信元又は発信先の電話番号の市外局番から位置情報を取得することができる（Ｓ５００５、Ｓ５００９）。また、着信側通信装置を呼び出す際に経由する基地局等から着信側通信装置の位置情報を取得しても良い。発信側通信装置位置情報及び着信側通信装置位置情報を取得すると、相対的位置情報算出部では、両者の相対的位置情報を算出する（Ｓ５０１０）。そして、相対的位置情報を算出すると、選択部にて取得した相対的位置情報に対応する応答メッセージデータを選択する（Ｓ５０１２）。しかし、取得した相対的位置情報に対応する応答メッセージデータが存在しない場合（Ｓ５０１１、ＮＯ）、又は、発信側通信装置位置情報又は着信側通信装置位置情報のどちらかが取得できなかった場合（Ｓ５００４、Ｓ５００８、ＮＯ）には、標準設定の応答メッセージデータを選択する（Ｓ５０１５）。発信側通信装置では、保持サーバから送信された応答メッセージデータを応答メッセージ受信部にて受信する。そして受信した応答メッセージデータは、着信側通信装置からの応答が無い場合に、発信側通信装置の応答メッセージ出力部から出力される。発信側通信装置では、着信側通信装置の位置情報に応じて選択された応答メッセージを聞くことができ、発呼に対して着信者が応答しなくとも、着信側通信装置が発信側通信装置に対して相対的にどこに存在しているのかを知ることができるとともに、発信側通信装置のアミューズメント要素を高めることができる。また、保持サーバを介することで、応答メッセージデータにより発信側通信装置及び着信側通信装置の双方の記憶領域が圧迫されるということも無い。
【０１６５】
（実施形態８の効果）以上のような構成をとる本発明の通信装置では、実施形態７の効果に加えて、着信音データ、呼出音データ、着信画面データ、呼出画面データ、応答メッセージデータ等を通信装置ではなく、保持サーバにて記録、管理するため、これらのデータによって通信装置の記憶領域における記録可能容量が逼迫されるという虞も無い。このため、より多くの各種データの中から相対的位置情報に応じたデータを選択することができ、アミューズメント要素が高い通信システムを提供することができる。
【０１６６】
≪実施形態９≫（実施形態９の概要）実施形態１から８に記載の位置情報と関連付けられている各種データは、位置情報が全て重複しないように関連付けられているものばかりではない。例えば、図５１に示すように、「東京都」との位置情報と関連付けられているデータ１と、「東京都千代田区」との位置情報と関連付けられているデータ２と、「東京都千代田区霞が関」との位置情報が関連付けられているデータ３とが階層的に保持部にて保持されているとき、「東京都千代田区霞が関」との位置情報を取得した場合には、上記のデータ１からデータ３のいずれもが選択候補となる。このため、本実施形態における通信装置または通信システムでは、実施形態１から６の通信装置、通信システムを基本とし、このように選択候補が複数存在する場合には、選択部にて、より狭い範囲の位置情報と関連付けられているデータを選択することを特徴とする。上記の場合では、「東京都千代田区霞が関」が最も狭い範囲を示す位置情報であるため、選択部ではデータ３を選択する。
【０１６７】
（実施形態９の構成）本実施形態にかかる通信装置又は通信システムは、実施形態１から５のいずれか一に記載の通信装置又は実施形態６に記載の通信システムを基本とし、保持部における位置情報と各種データとの関連付け方法と、選択部が「階層選択手段」を有することを特徴とする。
【０１６８】
（実施形態９の構成の説明）本実施形態における保持部では、位置情報と関連付けられている各種データの全部又は一部が、領域を階層的にカバーするように階層構造となっている。各種データとは、着信音データ、呼出音データ、応答メッセージデータ、着信画面データ、呼出画面データなどである。図５１に位置情報が階層的に各種データと関連付けられている様子を例示する。図５１では、位置情報が都道府県レベル（レベル１）、市区町村レベル（レベル２）、字レベル（レベル３）などに分けられており、そのどのレベルの位置情報に対しても各種データを関連付けることができる。例えば、「東京都」、「東京都千代田区」、「東京都千代田区霞が関」など各レベルの位置情報のそれぞれにデータ１、データ２、データ３などのデータをテーブルにて関連付けて保持部に保持することができる。なお、全てのレベルにおける位置情報に各種データを関連付けなくてもよく、「その他の地域」などと特定の項目に該当しない位置情報と各種データとの関連付けを行っても良い。
【０１６９】
「階層選択手段」は、各種データの選択候補が一の領域に対して異なる階層に複数存在する場合には、より階層が深い位置情報に関連付けられたデータを選択する手段である。図５１に示すような、各レベルの位置情報のそれぞれにデータが関連付けられている場合について説明する。例えば、取得した位置情報が「東京都千代田区霞が関三丁目」との位置情報であれば、データ１からデータ３のいずれもが選択部にて選択するデータの候補となる。階層選択手段では、このとき、より階層が深い「東京都千代田区霞が関」との位置情報に関連付けられたデータ３を選択する。また、取得した位置情報が「東京都千代田区有楽町」との位置情報であれば、データ１及びデータ２が選択部にて選択するデータの候補となる。階層選択手段では、このとき、「東京都千代田区有楽町」との位置情報と関連付けられたデータが他に存在しない場合には、より階層が深い「東京都千代田区」との位置情報に関連付けられたデータ２を選択する。また、取得した位置情報が「東京都中央区日本橋」との位置情報であれば、データ１のみが選択部にて選択するデータの候補となる。階層選択手段では、このとき、「東京都中央区日本橋」又は「東京都中央区」との位置情報と関連付けられたデータが他に存在しない場合には、「東京都」との位置情報に関連付けられたデータ１を選択する。このように、階層選択手段では、複数の選択候補が存在する場合には、より階層の深い位置情報、言い換えれば、より狭い領域の位置情報と関連付けられたデータを選択する。このため、選択部では、一の位置情報に複数の選択候補が存在する場合であっても、最も適切な一のデータを選択することができる。なお、図５１に示す位置情報と各種データとの関連付け以外に位置情報と各種データとが関連付けられていない場合には、階層選択手段は、東京都、神奈川県、北海道以外の地域の位置情報を取得すると、「その他の地域」との位置情報に関連付けられているデータ２０を選択する。
【０１７０】
（実施形態９の効果）本実施形態にかかる通信装置又は通信システムは、選択部にて選択するデータが複数存在する場合であっても、位置情報に関連付けられた最も適切なデータを選択することができる。
【０１７１】
《実施形態１０》（実施形態１０の概要）本実施形態にかかるサーバ装置は、通信装置の発着呼において利用する各種データを配信する機能を有することを特徴とする。
【０１７２】
（実施形態１０の構成）図５２に本実施形態にかかるサーバ装置の機能ブロック図を示す。本実施形態にかかる「サーバ装置」（５２００）は、「第二保持部」（５２０１）と、「第二送信部」（５２０２）とからなる。
【０１７３】
（実施形態１０の構成の説明）「サーバ装置」（５２００）は、第二保持部（５２０１）と、第二送信部（５２０２）とからなり、通信装置の保持部に保持する位置情報と関連付けられた各種データを配信することを特徴とする装置である。本実施形態におけるサーバ装置では、実施形態１から６及び９に記載の通信装置の保持部にて保持される位置情報と関連付けられた各種データを配信する機能を有する。各種データの配信は、通信装置からの配信要求があった場合に第二送信部（５２０２）から送信することとしても良いし、定期的に特定の通信装置に向けて配信することとしても良い。
【０１７４】
「第二保持部」（５２０１）は、通信装置の発着呼において利用する各種データと位置情報とを関連付けて保持するように構成されている。「通信装置の発着呼」とは、着信側通信装置における着信動作および発信側通信装置における呼出動作をいう。「各種データ」とは、着信音データ、呼出音データ、応答メッセージデータ、着信画面データ、呼出画面データをいう。第二保持部では、各種データと位置情報とを予め関連付けて保持していても良いし、通信装置などから配信要求があった場合に、該通信装置の位置情報を取得して、取得した位置情報を各種データと関連付けることとしてもよい。後者の場合には、各種データは通信装置がサーバ装置（５２００）に配信要求をする位置に応じた位置情報が関連付けられる。
【０１７５】
「第二送信部」（５２０２）は、第二保持部（５２０１）にて保持されている位置情報と関連付けられた各種データを通信装置の発着呼処理のために用いるデータとして送信するように構成されている。「通信装置の発着呼処理」とは、送信する各種データに応じて異なる。仮に、送信する各種データが着信音データや着信画面データであれば、通信装置の発着呼処理とは、通信装置における着信音の出力や着信画面の表示である。送信する各種データが呼出音データや呼出画面データであれば、通信装置の発着呼処理とは、通信装置における発信側通信装置への呼出音データや呼出画面データの送信である。送信する各種データが応答メッセージデータであれば、通信装置の発着呼処理とは、通信装置における発信側通信装置への応答メッセージの送信である。
【０１７６】
（実施形態１０の効果）本実施形態にかかるサーバ装置により、通信装置が予め位置情報と関連付けられた各種データを保持してない場合であっても、該サーバ装置から各種データを配信することができる。このため、通信装置のユーザは、自己の好みに即した各種データのみをサーバ装置から受信することができるので、より通信装置のアミューズメント性能を向上させることができる。
【図面の簡単な説明】
【０１７７】
【図１】実施形態１の概要を説明する図
【図２】実施形態１の機能ブロック図
【図３】実施形態１のハードウェア構成を示す図
【図４】保持部における位置情報と着信音データとの関連付けを示す図
【図５】携帯電話の一般的構成を示す図
【図６】実施形態１の処理の流れを示す図
【図７】実施形態２の概要を説明する図（１）
【図８】実施形態２の概要を説明する図（２）
【図９】実施形態２の機能ブロック図
【図１０】実施形態２のハードウェア構成を示す図
【図１１】保持部における位置情報と呼出音データとの関連付けを示す図
【図１２】実施形態２の処理の流れを示す図（１）
【図１３】実施形態２の処理の流れを示す図（２）
【図１４】実施形態３の概要を説明する図（１）
【図１５】実施形態３の概要を説明する図（２）
【図１６】実施形態３の機能ブロック図
【図１７】実施形態３のハードウェア構成を示す図
【図１８】保持部における位置情報と応答メッセージデータとの関連付けを示す図
【図１９】実施形態３の処理の流れを示す図（１）
【図２０】実施形態３の処理の流れを示す図（２）
【図２１】実施形態４の概要を説明する図（１）
【図２２】実施形態４の概要を説明する図（２）
【図２３】実施形態４の機能ブロック図
【図２４】実施形態４のハードウェア構成を示す図
【図２５】保持部における位置情報と着信画面データとの関連付けを示す図
【図２６】実施形態４の処理の流れを示す図
【図２７】実施形態４の処理の流れを示す図（２）
【図２８】実施形態５の概要を説明する図（１）
【図２９】実施形態５の概要を説明する図（２）
【図３０】実施形態５の機能ブロック図
【図３１】実施形態５のハードウェア構成を示す図
【図３２】保持部における位置情報と呼出画面データとの関連付けを示す図
【図３３】実施形態５の処理の流れを示す図（１）
【図３４】実施形態５の処理の流れを示す図（２）
【図３５】実施形態６の概要を説明する図
【図３６】実施形態６の機能ブロック図
【図３７】保持部における位置情報と応答メッセージデータとの関連付けを示す図
【図３８】実施形態６の処理の流れを示す図（１）
【図３９】実施形態６の処理の流れを示す図（２）
【図４０】実施形態６の処理の流れを示す図（３）
【図４１】実施形態６の処理の流れを示す図（４）
【図４２】実施形態６の処理の流れを示す図（５）
【図４３】実施形態７の概要を説明する図
【図４４】実施形態７の機能ブロック図
【図４５】実施形態７の処理の流れを示す図
【図４６】実施形態８の概要を説明する図
【図４７】実施形態８の機能ブロック図
【図４８】実施形態８の処理の流れを示す図（１）
【図４９】実施形態８の処理の流れを示す図（２）
【図５０】実施形態８の処理の流れを示す図（３）
【図５１】各種データと位置情報が階層的に関連付けられている様子を示す図
【図５２】実施形態１０の機能ブロック図
【図５３】発信側通信装置位置情報の取得方法（１）
【図５４】発信側通信装置位置情報の取得方法（２）
【図５５】発信側通信装置位置情報の取得方法（３）
【図５６】発信側通信装置位置情報の取得方法（４）
【符号の説明】
【０１７８】
０２００      通信装置
０２０１      保持部
０２０２      発信側通信装置位置情報取得部
０２０３      選択部
０２０４      着信音出力部
【図１】
2007300405.tif 000004
【図２】
2007300405.tif 000005
【図３】
2007300405.tif 000006
【図４】
2007300405.tif 000007
【図５】
2007300405.tif 000008
【図６】
2007300405.tif 000009
【図７】
2007300405.tif 000010
【図８】
2007300405.tif 000011
【図９】
2007300405.tif 000012
【図１０】
2007300405.tif 000013
【図１１】
2007300405.tif 000014
【図１２】
2007300405.tif 000015
【図１３】
2007300405.tif 000016
【図１４】
2007300405.tif 000017
【図１５】
2007300405.tif 000018
【図１６】
2007300405.tif 000019
【図１７】
2007300405.tif 000020
【図１８】
2007300405.tif 000021
【図１９】
2007300405.tif 000022
【図２０】
2007300405.tif 000023
【図２１】
2007300405.tif 000024
【図２２】
2007300405.tif 000025
【図２３】
2007300405.tif 000026
【図２４】
2007300405.tif 000027
【図２５】
2007300405.tif 000028
【図２６】
2007300405.tif 000029
【図２７】
2007300405.tif 000030
【図２８】
2007300405.tif 000031
【図２９】
2007300405.tif 000032
【図３０】
2007300405.tif 000033
【図３１】
2007300405.tif 000034
【図３２】
2007300405.tif 000035
【図３３】
2007300405.tif 000036
【図３４】
2007300405.tif 000037
【図３５】
2007300405.tif 000038
【図３６】
2007300405.tif 000039
【図３７】
2007300405.tif 000040
【図３８】
2007300405.tif 000041
【図３９】
2007300405.tif 000042
【図４０】
2007300405.tif 000043
【図４１】
2007300405.tif 000044
【図４２】
2007300405.tif 000045
【図４３】
2007300405.tif 000046
【図４４】
2007300405.tif 000047
【図４５】
2007300405.tif 000048
【図４６】
2007300405.tif 000049
【図４７】
2007300405.tif 000050
【図４８】
2007300405.tif 000051
【図４９】
2007300405.tif 000052
【図５０】
2007300405.tif 000053
【図５１】
2007300405.tif 000054
【図５２】
2007300405.tif 000055
【図５３】
2007300405.tif 000056
【図５４】
2007300405.tif 000057
【図５５】
2007300405.tif 000058
【図５６】
2007300405.tif 000059